(57)【要約】【課題】効率的に通信を行なうこと。【解決手段】初期アクセス時に、ＰＲＡＣＨの送信電力に用いられる下りリンクパスロスを、ＳＳブロックのＲＳＲＰから算出し、前記ＳＳブロックによって示される第１のシステム情報に含まれる第１の情報に基づいて、ＰＵＳＣＨに対する信号波形が、ＤＦＴ−Ｓ−ＯＦＤＭと設定される場合、前記ＰＵＳＣＨの送信電力に用いられる下りリンクパスロスを、前記ＳＳブロックのＲＳＲＰから算出し、前記第１の情報に基づいて前記ＰＵＳＣＨに対する信号波形が、ＣＰ−ＯＦＤＭと設定される場合、前記ＰＵＳＣＨの送信電力に用いられる下りリンクパスロスを、前記ランダムアクセスレスポンスグラントに含まれる第２の情報によって示されるＣＳＩ−ＲＳのＲＳＲＰから算出する。【選択図】図２
2020109886.tif 000002
【特許請求の範囲】
【請求項１】
ＳＳブロック、および／または、ＣＳＩ−ＲＳを受信する受信部と、
前記ＳＳブロック、および、前記ＣＳＩ−ＲＳからＲＳＲＰを測定する測定部と、
ＰＲＡＣＨ、および／または、ＰＵＳＣＨを送信する送信部と、を備え、
前記送信部は、
初期アクセス時において、
前記ＰＲＡＣＨの送信電力に用いられる下りリンクパスロスを、前記ＳＳブロックのＲＳＲＰから算出し、
ランダムアクセスレスポンスグラントによってスケジュールされる第１のＰＵＳＣＨの送信電力に用いられる下りリンクパスロスを、前記ＳＳブロックのＲＳＲＰから算出し、
前記ＳＳブロックによって示される第１のシステム情報に含まれる第１の情報に基づいて、前記ＰＵＳＣＨに対する信号波形が、ＤＦＴ−Ｓ−ＯＦＤＭと設定される場合、前記ＰＵＳＣＨの送信電力に用いられる下りリンクパスロスを、前記ＳＳブロックのＲＳＲＰから算出し、
前記第１の情報に基づいて前記ＰＵＳＣＨに対する信号波形が、ＣＰ−ＯＦＤＭと設定される場合、前記ＰＵＳＣＨの送信電力に用いられる下りリンクパスロスを、前記ランダムアクセスレスポンスグラントに含まれる第２の情報によって示されるＣＳＩ−ＲＳのＲＳＲＰから算出する
端末装置。
【請求項２】
前記送信部は、
ある期間において、複数のランダムアクセスレスポンスグラントを受信した場合に、前記第１のシステム情報に含まれる第３の情報に基づいて、前記複数のランダムアクセスレスポンスグラントに含まれる前記第１のＰＵＳＣＨに対するＴＰＣコマンドに対して、それぞれアキュムレーションを行なうどうかを決定する
請求項１記載の端末装置。
【請求項３】
前記送信部は、
前記ＰＲＡＣＨと前記第１のＰＵＳＣＨとで、下りリンクパスロスに用いたパスロスリファレンスが異なる場合、前記第１のＰＵＳＣＨにおける電力制御調整値に対して、前記ＰＲＡＣＨにおける電力制御調整値を初期値として適用しない
請求項１記載の端末装置。
【請求項４】
前記第１のＰＵＳＣＨに対して用いられる系列は、前記下りリンクパスロスの算出に用いた、前記ＳＳブロック、または、前記ＣＳＩ−ＲＳを示すインデックスに基づいて生成される
請求項１記載の端末装置。
【請求項５】
ある期間において、異なるインデックスを伴う複数のＳＳブロックを受信する場合、前記ＳＳブロックのＲＳＲＰは、前記複数のＳＳブロックのうち、測定結果のよい、１つまたは複数のＳＳブロックの測定結果が平均される
請求項１記載の端末装置。
【請求項６】
前記ＳＳブロックのＲＳＲＰが、１つよりも多いＳＳブロックの測定結果の平均から得られる場合、前記送信部は、前記第１のＰＵＳＣＨにおいて、前記ＳＳブロックのインデックスを含んで送信する
請求項５記載の端末装置。
【請求項７】
前記第１のＰＵＳＣＨにおいて、前記ＳＳブロックのＲＳＲＰおよび／または前記ＣＳ
Ｉ−ＲＳのＲＳＲＰの測定レポートを含む
請求項１記載の端末装置。
【請求項８】
ＳＳブロック、および／または、ＣＳＩ−ＲＳを受信する受信部と、
前記ＳＳブロック、および、前記ＣＳＩ−ＲＳからＲＳＲＰを測定する測定部と、
ＰＲＡＣＨ、および／または、ＰＵＳＣＨを送信する送信部と、を備え、
前記送信部は、
初期アクセス時において、
ランダムアクセスレスポンスグラントによってスケジュールされるＰＵＳＣＨの送信電力のセッティングに用いられる下りリンクパスロスの下りリンク参照信号を、前記ＳＳブロックに含まれる前記ＰＵＳＣＨに対する信号波形を示す情報に基づいて、前記ＳＳブロックを用いるか前記ＣＳＩ−ＲＳを用いるかを決定する
端末装置。
【請求項９】
ＳＳブロック、および／または、ＣＳＩ−ＲＳを受信するステップと、
前記ＳＳブロック、および、前記ＣＳＩ−ＲＳからＲＳＲＰを測定するステップと、
ＰＲＡＣＨ、および／または、ＰＵＳＣＨを送信するステップと、
初期アクセス時において、
前記ＰＲＡＣＨの送信電力に用いられる下りリンクパスロスを、前記ＳＳブロックのＲＳＲＰから算出するステップと、
ランダムアクセスレスポンスグラントによってスケジュールされる第１のＰＵＳＣＨの送信電力に用いられる下りリンクパスロスを、前記ＳＳブロックのＲＳＲＰから算出するステップと、
前記ＳＳブロックによって示される第１のシステム情報に含まれる第１の情報に基づいて、前記ＰＵＳＣＨに対する信号波形が、ＤＦＴ−Ｓ−ＯＦＤＭと設定される場合、前記ＰＵＳＣＨの送信電力に用いられる下りリンクパスロスを、前記ＳＳブロックのＲＳＲＰから算出するステップと、
前記第１の情報に基づいて前記ＰＵＳＣＨに対する信号波形が、ＣＰ−ＯＦＤＭと設定される場合、前記ＰＵＳＣＨの送信電力に用いられる下りリンクパスロスを、前記ランダムアクセスレスポンスグラントに含まれる第２の情報によって示されるＣＳＩ−ＲＳのＲＳＲＰから算出するステップと、を含む
方法。
【請求項１０】
ＳＳブロック、および／または、ＣＳＩ−ＲＳを受信するステップと、
前記ＳＳブロック、および、前記ＣＳＩ−ＲＳからＲＳＲＰを測定するステップと、
ＰＲＡＣＨ、および／または、ＰＵＳＣＨを送信するステップと、
初期アクセス時において、
ランダムアクセスレスポンスグラントによってスケジュールされるＰＵＳＣＨの送信電力のセッティングに用いられる下りリンクパスロスの下りリンク参照信号を、前記ＳＳブロックに含まれる前記ＰＵＳＣＨに対する信号波形を示す情報に基づいて、前記ＳＳブロックを用いるか前記ＣＳＩ−ＲＳを用いるかを決定するステップと、を含む
方法。
【発明の詳細な説明】
【技術分野】
【０００１】
本発明の実施形態は、効率的な通信を実現する端末装置および方法の技術に関する。
【背景技術】
【０００２】
標準化プロジェクトである３ＧＰＰ（３ｒｄ  Ｇｅｎｅｒａｌ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ
Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）の標準化が行なわれた。なお、ＥＵＴＲＡにおける標準化技術を採用した通信全般をＬＴＥ（Ｌｏｎｇ  Ｔｅｒｍ  Ｅｖｏｌｕｔｉｏｎ）通信と称する場合もある。
【０００３】
また、３ＧＰＰでは、より高速なデータ伝送を実現し、ＥＵＴＲＡに対して上位互換性を持つＡ−ＥＵＴＲＡ（Ａｄｖａｎｃｅｄ  ＥＵＴＲＡ）の検討を行なっている。ＥＵＴＲＡでは、基地局装置がほぼ同一のセル構成（セルサイズ）から成るネットワークを前提とした通信システムであったが、Ａ−ＥＵＴＲＡでは、異なる構成の基地局装置（セル）が同じエリアに混在しているネットワーク（異種無線ネットワーク、ヘテロジニアスネットワーク）を前提とした通信システムが検討されている。
【０００４】
さらに、３ＧＰＰにおいて、ＬＴＥの次の世代の通信規格について検討されている（非特許文献１）。
【先行技術文献】
【非特許文献】
【０００５】
【非特許文献１】”3GPP TR 38.913 v.14.0.0 (2016-10)”, 4th Oct. 2016.
【発明の概要】
【発明が解決しようとする課題】
【０００６】
通信装置（端末装置および／または基地局装置）において、従来の送信制御では効率的な通信を行なうことができない場合がある。
【０００７】
本発明は上記の点に鑑みてなされたものであり、その目的は、効率的に通信を行なうための、送信制御を行なうことができる端末装置および方法を提供することである。
【課題を解決するための手段】
【０００８】
（１）上記の目的を達成するために、本発明は、以下のような手段を講じた。すなわち、本発明の一態様による端末装置は、ＳＳブロック、および／または、ＣＳＩ−ＲＳを受信する受信部と、前記ＳＳブロック、および、前記ＣＳＩ−ＲＳからＲＳＲＰを測定する測定部と、ＰＲＡＣＨ、および／または、ＰＵＳＣＨを送信する送信部と、を備え、前記送信部は、初期アクセス時に、前記ＰＲＡＣＨの送信電力に用いられる下りリンクパスロスを、前記ＳＳブロックのＲＳＲＰから算出し、ランダムアクセスレスポンスグラントによってスケジュールされる第１のＰＵＳＣＨの送信電力に用いられる下りリンクパスロスを、前記ＳＳブロックのＲＳＲＰから算出し、前記ＳＳブロックによって示される第１のシステム情報に含まれる第１の情報に基づいて、前記ＰＵＳＣＨに対する信号波形が、ＤＦＴ−Ｓ−ＯＦＤＭと設定される場合、前記ＰＵＳＣＨの送信電力に用いられる下りリンクパスロスを、前記ＳＳブロックのＲＳＲＰから算出し、前記第１の情報に基づいて前記
ＰＵＳＣＨに対する信号波形が、ＣＰ−ＯＦＤＭと設定される場合、前記ＰＵＳＣＨの送信電力に用いられる下りリンクパスロスを、前記ランダムアクセスレスポンスグラントに含まれる第２の情報によって示されるＣＳＩ−ＲＳのＲＳＲＰから算出する。
【０００９】
（２）また、本発明の一態様による方法は、端末装置の方法であって、ＳＳブロック、および／または、ＣＳＩ−ＲＳを受信するステップと、前記ＳＳブロック、および、前記ＣＳＩ−ＲＳからＲＳＲＰを測定するステップと、ＰＲＡＣＨ、および／または、ＰＵＳＣＨを送信するステップと、初期アクセス時において、前記ＰＲＡＣＨの送信電力に用いられる下りリンクパスロスを、前記ＳＳブロックのＲＳＲＰから算出するステップと、ランダムアクセスレスポンスグラントによってスケジュールされる第１のＰＵＳＣＨの送信電力に用いられる下りリンクパスロスを、前記ＳＳブロックのＲＳＲＰから算出するステップと、前記ＳＳブロックによって示される第１のシステム情報に含まれる第１の情報に基づいて、前記ＰＵＳＣＨに対する信号波形が、ＤＦＴ−Ｓ−ＯＦＤＭと設定される場合、前記ＰＵＳＣＨの送信電力に用いられる下りリンクパスロスを、前記ＳＳブロックのＲＳＲＰから算出するステップと、前記第１の情報に基づいて前記ＰＵＳＣＨに対する信号波形が、ＣＰ−ＯＦＤＭと設定される場合、前記ＰＵＳＣＨの送信電力に用いられる下りリンクパスロスを、前記ランダムアクセスレスポンスグラントに含まれる第２の情報によって示されるＣＳＩ−ＲＳのＲＳＲＰから算出するステップと、を含む。
【発明の効果】
【００１０】
この発明によれば、基地局装置と端末装置が通信する無線通信システムにおいて、伝送効率を向上させることができる。
【図面の簡単な説明】
【００１１】
【図１】第１の実施形態に係るスロットとミニスロットの構成の一例を示す図である。
【図２】第１の実施形態に係る４ステップランダムアクセス手順の一例を示す図である。
【図３】第１の実施形態に係る基地局装置２のブロック構成の一例を示す図である。
【図４】第１の実施形態に係る端末装置１のブロック構成の一例を示す図である。
【発明を実施するための形態】
【００１２】
＜第１の実施形態＞
本発明の第１の実施形態について以下に説明する。基地局装置２と端末装置１が、セルにおいて、および／または、キャリアを用いて、通信する通信システムを用いて説明する。なお、基地局装置２は、基地局、基地局装置、ノードＢ、ｅＮＢ（ＥＵＴＲＡＮ  ＮｏｄｅＢ、ｅｖｏｌｖｅｄ  ＮｏｄｅＢ）、ｇＮＢと称されてもよい。端末装置１は、端末、端末装置、移動局、ユーザ装置、ＵＥ（Ｕｓｅｒ  ｅｑｕｉｐｍｅｎｔ）と称されてもよい。
【００１３】
ＮＲ（Ｎｅｘｔ  Ｇｅｎｅｒａｔｉｏｎ  Ｒａｄｉｏ  Ａｃｃｅｓｓ  Ｔｅｃｈｎｏｌｏｇｙ）をサポートしているセルをＮＲセルとも称する。ＮＲセルのキャリアをＮＲキャリアと称する。ＮＲセルのコンポーネントキャリアをＮＲコンポーネントキャリアとも称する。
【００１４】
ＮＲセル、ＮＲキャリア、および／または、ＮＲコンポーネントキャリアでは、時間単位Ｔｓに基づいて、サブフレーム、スロット、ミニスロット、シンボルの長さ（時間長、期間）がそれぞれ規定（定義、設定）されてもよい。ここで、シンボルは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボル、または、ＯＦＤＭ（Ｏｒｔｈｏｇｏｎａｌ  Ｆｒｅ
ｑｕｅｎｃｙ  Ｄｉｖｉｓｉｏｎ  Ｍｕｌｔｉｐｌｅｘｉｎｇ）シンボルであってもよい。なお、ミニスロットは、サブスロットと称されてもよい。ＯＦＤＭは、ＣＰ−ＯＦＤＭ（Ｃｙｃｌｉｃ  Ｐｒｅｆｉｘ−ＯＦＤＭ）と称されてもよい。ＳＣ−ＦＤＭＡは、ＤＦＴ−Ｓ−ＯＦＤＭ（Ｄｉｓｃｒｅｔｅ  Ｆｏｕｒｉｅｒ  Ｔｒａｎｓｆｏｒｍ−Ｓｐｒｅａｄ−ＯＦＤＭ）であってもよい。ＳＣ−ＦＤＭＡは、シングルキャリアであり、マクロセルのような広いカバレッジのセルの通信に有効であり、ＯＦＤＭは、マルチキャリアであり、スモールセルのような狭いカバレッジでの通信に有効である。
【００１５】
時間単位Ｔｓは、あるサブキャリア間隔に対応するシンボルに対するサンプリング周期（サンプリング間隔、サンプリングレート）に相当してもよい。つまり、Ｔｓは、ある期間における時間連続信号に対して、サンプリングを行なう周期であってもよい。ここで、該ある期間の時間連続信号をサンプリングすることによって時間離散信号を得ることができる。該時間離散信号は、サンプル、または、サンプリング信号と称されてもよい。なお、該時間連続信号はアナログ信号と称されてもよい。該時間離散信号はディジタル信号と称されてもよい。Ｔｓは、サブキャリア間隔やサンプリングサイズに因らず、所定の値であってもよい。
【００１６】
該Ｔｓは、該ある期間における時間連続信号に対するサンプリングサイズに基づいて決定されてもよい。つまり、該Ｔｓは、隣接する時間離散信号間の時間間隔と言い換えることができる。ここで、該サンプリングサイズは、サンプリングを行なう数、サンプリングポイント数、または、サンプルサイズ、または、サンプル数と称されてもよい。該サンプリングサイズは、ＦＦＴ（Ｆａｓｔ  Ｆｏｕｒｉｅｒ  Ｔｒａｎｓｆｏｒｍ）サイズおよび／またはＩＦＦＴ（Ｉｎｖｅｒｓｅ  ＦＦＴ）サイズに基づいて決定されてもよい。該サンプリングサイズは、２のべき乗で示されてもよい。なお、該サンプリングサイズに基づいて、利用可能なチャネル帯域幅が決定されてもよい。ここで、該ある期間がサブキャリア間隔に対応する場合には、該ある期間は、サブキャリア間隔の逆数で示されてもよい。該ある期間において、１つ、または、１つよりも多く時間離散信号が生成される場合、該時間離散信号を用いて系列が生成されてもよい。該系列は、時系列信号と称されてもよい。該ある期間は、該時間連続信号に対してはシンボル長と称されてもよい。該ある期間は、該時間離散信号に対してはシンボル期間と称されてもよい。該ある期間は、該時系列信号に対しては系列長と称されてもよい。該ある期間における時間連続信号および／または時間離散信号および／または時系列信号をシンボルとも称する。該シンボルに対して、シンボル間干渉や対応するサブキャリア間干渉を低減するためにガード期間に相当するＣＰ（Ｃｙｃｌｉｃ  Ｐｒｅｆｉｘ）が付与されてもよい。該ＣＰは、該ある期間の、一部の期間の時間連続信号および／または時間離散信号をコピーして用いられてもよい。該ＣＰは、該ある期間の、一部の期間の時間連続信号および／または時間離散信号と同一であってもよい。ＣＰに対する時間長は、時間連続信号に対してはＣＰ長と称されてもよい。ＣＰに対する時間長は、時間離散信号に対してはＣＰ期間と称されてもよい。本実施形態において、シンボル長は、シンボル期間や系列長と同義であってもよい。また、ＣＰ長は、ＣＰ期間と同義であってもよい。
【００１７】
該ある期間におけるサンプル数、つまり、あるシンボルにおけるサンプリングサイズをＮとすると、該シンボル長は、Ｎ×Ｔｓで示されてもよい。また、該ＣＰ長におけるサンプリングサイズをＮＣＰ，ｌとすると、該ＣＰ長は、ＮＣＰ，ｌ×Ｔｓで示されてもよい。該ＣＰ長におけるサンプリングサイズは、シンボル番号によって個別に規定および／または設定されてもよい。以降では、ＣＰを含めたシンボルを単にシンボルと称することがある。つまり、１つのシンボルの長さは、（ＮＣＰ，ｌ＋Ｎ）×Ｔｓとして規定されてもよい。ＮＣＰ，ｌの値は、ＣＰが付与されるシンボルの番号に基づいて決定されてもよい。また、ＮＣＰ，ｌの値は、ＣＰのタイプに基づいて決定されてもよい。例えば、ＣＰのタイプ（種類）には、ＮＣＰ（Ｎｏｒｍａｌ  ＣＰ）と、ＮＣＰよりもＣＰ長が長いＥＣ
Ｐ（Ｅｘｔｅｎｄｅｄ  ＣＰ）がある。
【００１８】
チャネル帯域幅は、システム帯域幅、最大送信帯域幅、最大受信帯域幅、最大測定帯域幅、利用可能なサブキャリアの総数に関連付けられてもよい。また、チャネル帯域幅は、オペレーティングバンド毎に規定されてもよい。つまり、オペレーティングバンドに応じて、サポートされているチャネル帯域幅が異なってもよい。例えば、チャネル帯域幅が５種類ある場合、第１のオペレーティングバンドにおいては、第１のチャネル帯域幅から第３のチャネル帯域幅がサポートされてもよく、且つ、第４のチャネル帯域幅と第５のチャネル帯域幅がサポートされなくてもよい。また、第２のオペレーティングバンドにおいては、第１のチャネル帯域幅から第５のチャネル帯域幅がサポートされてもよい。ここで、オペレーティングバンドは、下りリンクキャリア、および、上りリンクキャリアのそれぞれに対して利用可能なキャリア周波数の範囲を規定してもよい。利用可能なキャリア周波数の範囲に基づいて、利用可能なチャネル帯域幅またはシステム帯域幅が規定されてもよい。端末装置および基地局装置は、少なくとも１つのオペレーティングバンドはサポートしている。複数のオペレーティングバンドをサポートしているかどうかは、端末装置の能力、および／または、基地局装置の能力に基づいてもよい。また、オペレーティングバンドは、利用可能なデュプレックスモードと関連付けられてもよい。該ある期間における該サンプリングサイズが多いほど、サポートされるチャネル帯域幅は広くなってもよい。例えば、該ある期間に対応するサブキャリア間隔１５ｋＨｚに対して、該サンプリングサイズが２０４８である場合には、チャネル帯域幅は２０ＭＨｚまでサポートされてもよいまた、該ある期間に対応するサブキャリア間隔１５ｋＨｚに対して、該サンプリングサイズが４０９６である場合には、チャネル帯域幅は４０ＭＨｚまでサポートされてもよい。
【００１９】
次に、本実施形態に係るサブフレームについて説明する。本実施形態に係るサブフレームの長さ（時間長、期間）は、１ｍｓであってもよい。また、サブフレーム長に対応するサブキャリア間隔は、１５ｋＨｚであってもよい。つまり、１つのサブフレームを構成するシンボルの数は、サブキャリア間隔１５ｋＨｚに基づいて規定されてもよい。例えば、１つのサブフレームを構成するシンボルの数は、ＣＰ長およびシンボル長を考慮して規定されてもよい。例えば、１つのサブフレームを構成するシンボルの数は、ＮＣＰの場合、１４シンボルであってもよい。なお、１ｍｓのサブフレーム長に対応するために、ＣＰを含む特定のシンボルは、ＣＰを含む他のシンボルとシンボル長が異なってもよい。なお、特定のシンボルにおいて、付与されるＣＰの長さが異なってもよい。サブフレームには、１つまたは１つより多いスロット、および／または、１つまたは１つより多いミニスロット、および／または、１つまたは１つより多いシンボルが含まれてもよい。
【００２０】
ここで、１つのサブフレームに含まれるシンボルの数は、送信および／または受信に用いられる物理チャネルに対するサブキャリア間隔に基づいて規定されてもよい。例えば、該サブキャリア間隔が１５ｋＨｚの場合には、１つのサブフレームに含まれるシンボルの数は１４シンボルであってもよい。また、該サブキャリア間隔が３０ｋＨｚの場合には、１つのサブフレームに含まれるシンボルの数は２８シンボルであってもよい。また、１つのサブフレームに含まれるシンボルの数は、特定の物理チャネルおよび／または特定の物理信号を検出することによって、または、特定の物理チャネルおよび／または特定の物理信号に対するサブキャリア間隔を識別することによって、端末装置に想定されてもよい。つまり、端末装置は、サブキャリア同期およびシンボル同期を行なうことによって、１つのサブフレームに含まれるシンボルの数を想定してもよい。また、１つのサブフレームに含まれるシンボルの数は、端末装置のデフォルト値として規定されてもよい。例えば、１つのサブフレームに含まれるシンボルの数は、オペレーティングバンドと関連付けられて規定されてもよい。つまり、端末装置は、あるオペレーティングバンドのキャリア周波数に属する、セルにキャンプする、および／または、セルを捕捉（検出）するために、該あるオペレーティングバンドに基づいて１つのサブフレームに含まれるシンボルの数を想定
してもよい。つまり、該想定に基づいて、端末装置は、ブロードキャストされる特定の物理チャネルおよび／または特定の物理信号の受信および／または検出を行なってもよい。また、該想定に基づいて、端末装置は、時間周波数同期を行なってもよい。また、端末装置は、該特定の物理チャネルおよび／または該特定の物理信号によって示される種々の設定および／またはパラメータに基づいて、初期コネクション確立手順および／またはコネクション再確立手順および／またはハンドオーバ手順を行なってもよい。なお、初期コネクション確立手順には、初期アクセス手順が含まれてもよい。初期アクセス手順、コネクション再確立手順、および、ハンドオーバ手順には、ランダムアクセス手順が含まれてもよい。
【００２１】
ここで、共通の上位層シグナリングとは、同じセル内の端末装置間で共通の値、および／または、同じ値として設定される上位層パラメータを含むシグナリングのことであってもよい。個別の上位層シグナリングとは、同じセル内の端末装置間で個別に設定可能な上位層パラメータを含むシグナリングのことであってもよい。
【００２２】
ここで、共通の物理層シグナリングとは、同じセル内の端末装置間で共通の値、および／または、同じ値として設定される物理層パラメータを含むシグナリングのことであってもよい。個別の物理層シグナリングとは、同じセル内の端末装置間で個別に設定可能な物理層パラメータを含むシグナリングのことであってもよい。なお、共通の物理層シグナリングがマップされる物理リソースは、同じセル内の端末装置間で同じであってもよい。個別の物理層シグナリングがマップされる物理リソースは、同じセル内の端末装置間で異なってもよい。
【００２３】
スロットおよびミニスロットに関する設定を示す情報がセルにおいてブロードキャストされていない場合には、該スロットおよび該ミニスロットに関する種々のパラメータが設定されるまでは、端末装置は、サブフレームに関する種々の設定に基づいて、特定の物理チャネル、および／または、特定の物理信号の送信および受信を行なってもよい。後述するスロットおよびミニスロットに関して端末装置にデフォルト値が設定されていない場合には、該スロットおよび該ミニスロットに関する種々のパラメータが設定されるまでは、端末装置は、サブフレームに関する種々の設定に基づいて、特定の物理チャネル、および／または、特定の物理信号の送信および受信を行なってもよい。後述するスロットおよびミニスロットに関して端末装置にデフォルト値が設定されていない、且つ、スロットおよびミニスロットに関する設定を示す情報がセルにおいてブロードキャストされていない場合には、該スロットおよび該ミニスロットに関する種々のパラメータが設定されるまでは、端末装置は、サブフレームに関する種々の設定に基づいて、特定の物理チャネル、および／または、特定の物理信号の送信および受信を行なってもよい。
【００２４】
端末装置は、スロットおよび／またはミニスロットに関するパラメータが設定されるまではサブフレームに関するパラメータに基づいて、種々の物理チャネルおよび／物理信号の送信および／または受信を行なってもよい。ここで、サブフレームに関するパラメータとは、サブキャリア間隔、１つのサブフレームを構成するシンボルの数、１つのシンボルの長さ、および／または、１つのＣＰの長さであってもよい。
【００２５】
スロットおよびミニスロットに関する設定を示す情報がセルにおいてブロードキャストされている場合には、端末装置は、スロットおよびミニスロットに関する設定を示す情報に基づいて、特定の物理チャネル、および／または、特定の物理信号の送信および受信を行なってもよい。
【００２６】
また、後述するスロットおよびミニスロットに関して端末装置にデフォルト値が設定されている場合には、デフォルト値に基づいて、特定の物理チャネル、および／または、特
定の物理信号の送信および受信を行なってもよい。その際、特定の物理チャネル、および／または、特定の物理信号を除く一部の物理チャネルおよび／または物理信号においては、端末装置は、サブフレームに関する種々の設定に基づいて、送信および受信を行なってもよい。
【００２７】
後述するスロットおよびミニスロットに関して端末装置にデフォルト値が設定されている場合、且つ、スロットおよびミニスロットに関する設定を示す情報がセルにおいてブロードキャストされている場合には、端末装置は、ブロードキャストされたスロットおよびミニスロットに関する設定を示す情報に基づいて、特定の物理チャネル、および／または、特定の物理信号の送信および受信を行なってもよい。特定の物理チャネル、および／または、特定の物理信号を除く一部の物理チャネルおよび／または物理信号においては、端末装置は、デフォルト値に基づいて、送信および受信を行なってもよい。また、特定の物理チャネル、および／または、特定の物理信号を除く一部の物理チャネルおよび／または物理信号においては、端末装置は、サブフレームに関する種々の設定に基づいて、送信および受信を行なってもよい。
【００２８】
１つのサブフレームの中に、複数の物理チャネルおよび／または複数の物理信号が配置されてもよい。例えば、１つのサブフレームの中に、下りリンク物理チャネル、および、上りリンク物理チャネルが配置されてもよい。また、１つのサブフレームの中に、下りリンクに関連する物理チャネルおよび物理信号だけが配置されてもよい。また、１つのサブフレームの中に、上りリンクに関連する物理チャネルおよび物理信号だけが配置されてもよい。下りリンク物理チャネルと上りリンク物理チャネルは、異なるシンボル数で規定および／または設定されてもよい。下りリンク物理チャネルおよび上りリンク物理チャネルが同じサブフレームに配置可能な場合、下りリンク物理チャネルおよび上りリンク物理チャネルは異なるシンボル（異なるシンボル番号）に配置されることが好ましい。１つの端末装置において、下りリンク物理チャネルの受信から上りリンク物理チャネルの送信に切り替える場合、スイッチングポイントまたはスイッチング期間としてギャップが規定および／または設定されてもよい。また、サブフレーム内の各シンボルの長さは、シンボル番号に対応して規定されてもよい。例えば、シンボル番号によって、シンボルの長さは異なってもよい。
【００２９】
サブフレームは、特定の物理チャネルおよび／または特定の物理信号の送信単位および／または受信単位として用いられてもよい。例えば、サブフレームは、特定の物理チャネルおよび／または特定の物理信号の送信周期や受信周期を示すために用いられてもよい。また、サブフレームは、特定の処理または特定の手順に対する時間間隔を示すために用いられてもよい。ここで、特定の物理チャネルとは、特定の情報を含む物理チャネルのことであってもよい。特定の物理信号とは、特定の目的のために送信される物理信号のことであってもよい。例えば、特定の物理信号とは、時間周波数同期を行なうために送信される信号のことであってもよい。また、特定の物理信号とは、物理リソースの割り当て、管理を行なうために送信される信号のことであってもよい。また、特定の物理信号とは、チャネル状態測定を行なうために送信される信号のことであってもよい。ここで、チャネル状態は、チャネルの品質や電力、到来角度またはビーム、レイヤの数に関連してもよい。
【００３０】
次に、本実施形態に係るスロットについて説明する。スロットは、１つまたは１つより多いミニスロット、および／または、１つまたは１つよりも多い物理チャネル、および／または、１つまたは１つよりも多いシンボルで構成されてもよい。１つのスロットの長さ（時間長）は、１つのスロットを構成するシンボルの数、１つのシンボルの長さ、該１つのシンボルに付与される１つのＣＰの長さに基づいて規定されてもよい。該１つのシンボルの長さ、および、該１つのＣＰの長さは、スロットに対して適用されるサブキャリア間隔に関連して規定されてもよい。つまり、スロットに用いられるシンボルおよびＣＰの長
さは、サブフレームとは個別に設定または規定されてもよい。
【００３１】
ここで、１つのスロットを構成するシンボルの数は、スロットの構成に用いられるサブキャリア間隔に基づいて規定されてもよい。例えば、サブキャリア間隔が６０ｋＨｚまでは、１つのスロットを構成するシンボルの数は、７シンボル、または、１４シンボルであってもよい。また、サブキャリア間隔が６０ｋＨｚを超える場合には、１つのスロットを構成するシンボルの数は、１４シンボルであってもよい。また、１つのスロットを構成するシンボルの数は、１つのサブフレームを構成するシンボルの数とは個別に設定されてもよい。例えば、１つのスロットを構成するシンボルの数は、共通および／または個別の上位層シグナリングを介して設定されてもよい。また、１つのスロットを構成するシンボルの数は、共通および／または個別の物理層シグナリングを介して設定されてもよい。
【００３２】
なお、１つの端末装置に対して、１つのサブフレーム内に１つよりも多くスロットが含まれる場合には、該サブフレーム内の各スロットを構成するシンボルの数は、共通、または、同じ数であってもよい。また、１つの端末装置に対して、１つのサブフレーム内に１つよりも多くのスロットが含まれる場合には、該サブフレーム内の各スロットを構成するシンボルの数は、個別に設定されてもよい。また、１つの端末装置に対して、１つのサブフレーム内に１つよりも多くのスロットが含まれる場合には、該サブフレーム内の各スロットを構成するシンボルの数は、各スロットに対応するサブキャリア間隔に基づいて規定されてもよい。ある端末装置に対して、複数のスロットを時間多重して送信および／または受信を行なうスロットアグリゲーションが適用される場合には、スロットアグリゲーション内の各スロットを構成するシンボルの数は、共通、または、同じ数であってもよい。該時間多重される複数のスロットに、複数の物理チャネルおよび／または複数の物理信号が配置されてもよい。１つのチャネルが、該時間多重される複数のスロットに配置されてもよい。
【００３３】
１つのスロットの中に、複数の物理チャネルおよび／または複数の物理信号が配置されてもよい。つまり、スロットは、１つまたは１つよりも多い物理チャネル、および／または、１つまたは１つよりも多い物理信号が配置される時間周波数領域、および／または、物理リソースを規定してもよい。例えば、１つのスロットの中に、下りリンク物理チャネル、および、上りリンク物理チャネルが配置されてもよい。１つのスロット内に配置される下りリンク物理チャネルと上りリンク物理チャネルは、異なるシンボル数で規定および／または設定されてもよい。下りリンク物理チャネルおよび上りリンク物理チャネルが、同じキャリア周波数の同じスロットに配置可能な場合、下りリンク物理チャネルと上りリンク物理チャネルは異なるシンボル（異なるシンボル番号）に配置されてもよい。つまり、１つのスロット内に配置される下りリンク物理チャネルと上りリンク物理チャネルは、ＴＤＭ（Ｔｉｍｅ  Ｄｏｍａｉｎ  Ｍｕｌｔｉｐｌｅｘｉｎｇ）で配置される。また、端末装置において、下りリンク物理チャネルの受信から上りリンク物理チャネルの送信に切り替える場合、スイッチングポイントまたはスイッチング期間としてギャップが規定および／または設定されてもよい。また、１つのスロットの中に、下りリンク物理チャネルと上りリンク物理チャネルが配置可能な場合、下りリンク物理チャネルおよび上りリンク物理チャネルのそれぞれに用いられるシンボルの長さおよび付与されるＣＰの長さは共通であってもよい。ただし、ＣＰの長さがシンボル番号に対応する場合には、ＣＰの長さは下りリンク物理チャネルと上りリンク物理チャネル間で異なってもよい。ここで、ＣＰは、付与されるシンボルの番号に応じて、追加されてもよい。つまり、各シンボル番号間で同じ長さのＣＰと、特定のシンボル番号で追加される特定の長さのＣＰがあってもよい。追加される特定の長さのＣＰはエクストラＣＰと称されてもよい。エクストラＣＰの長さは、付与されるシンボルに対応するサブキャリア間隔に基づいて規定されてもよい。エクストラＣＰについては、後述するミニスロットに対しても同様に追加されてもよい。例えば、エクストラＣＰは、０．５ｍｓ間隔で挿入されてもよい。言い換えると、エクストラＣ
Ｐは、０．５ｍｓ毎に対応するシンボルにおいて、挿入されてもよい。つまり、エクストラＣＰは、所定の時間間隔において、対応するシンボルまたはシンボル番号で、挿入されてもよい。対応するシンボル番号において、エクストラＣＰとＮＣＰは、１つのＣＰとしてみなされてもよい。つまり、対応するシンボル番号において付与されるＣＰの長さは、他のシンボル番号において付与されるＣＰの長さと異なってもよい。
【００３４】
なお、スロットおよびスロット内に配置される物理チャネルおよび／または物理信号は、サブフレーム境界上（隣接するサブフレーム間）に配置されないことが好ましい。
【００３５】
次に、本実施形態に係るミニスロットについて説明する。ミニスロットは、１つまたは１つより多いシンボルで構成されてもよい。１つのミニスロットの長さ（時間長）は、１つのミニスロットを構成するシンボルの数、１つのシンボルの長さ、該１つのシンボルに付与される１つのＣＰの長さに基づいて規定されてもよい。該１つのシンボルの長さ、および、該１つのＣＰの長さは、ミニスロットに対して適用されるサブキャリア間隔に関連して規定されてもよい。つまり、ミニスロットに用いられるシンボルおよびＣＰの長さは、サブフレームやスロットとは個別に設定または規定されてもよい。
【００３６】
ここで、１つのミニスロットを構成するシンボルの数は、スロットを構成するシンボルの数よりも少ない数であってもよい。また、１つのミニスロットを構成するシンボルの数は、１つのスロットを構成するシンボルの数に基づいて規定または設定されてもよい。また、１つのミニスロットを構成するシンボルの数は、１つのスロットを構成するシンボルの数とは個別に設定されてもよい。例えば、１つのミニスロットを構成するシンボルの数は、共通および／または個別の上位層シグナリングを介して設定されてもよい。また、１つのミニスロットを構成するシンボルの数は、共通および／または個別の物理層シグナリングを介して設定されてもよい。なお、サブフレームの中に１つよりも多いミニスロットを含むことができる場合には、１つのサブフレームに含まれるミニスロット間で、１つのミニスロットを構成するシンボルの数は、少なくとも１つのサブフレーム内では共通、または、同じ数であることが好ましい。また、１つのミニスロットを構成するシンボルの数は、ミニスロットに対して適用または設定されるサブキャリア間隔に関連して規定されてもよい。
【００３７】
なお、１つのミニスロットには、１つの物理チャネルおよび／または１つの物理信号が配置されてもよい。例えば、ミニスロットには、１つの物理チャネルと該物理チャネルを復調するための物理信号がマッピングされてもよい。つまり、ミニスロットは、１つの物理チャネルおよび／または１つの物理信号が配置される時間周波数領域または物理リソースを規定してもよい。また、端末装置において、複数のミニスロットを同時に、送信および／または受信する能力をサポートしている場合には、ミニスロット毎に個別の物理チャネルおよび／または物理信号が配置されてもよい。また、ミニスロットは、スロットが設定された場合にのみ、設定されてもよい。ミニスロットとスロットは、１つのサブフレームに混在してもよい。スロットおよびミニスロットが個別に設定される場合は、端末装置および／または基地局装置は、スロットとミニスロット、または、スロットとミニスロットのそれぞれに割り当てられた物理チャネルおよび物理信号を同時に送信および／または受信を行なってもよい。１つのセルの１つのサブフレームにおいて、異なるミニスロットの送信と受信を同時に行なえるかどうかは、端末装置がサポートしている能力に基づいて決定されてもよい。ここで、“個別に設定される”とは、個別に関連するパラメータが設定されることを含んでもよい。
【００３８】
また、１つのスロットに複数のミニスロットが含まれてもよい。下りリンクに対するミニスロットと上りリンクに対するミニスロットが１つのスロットに含まれてもよい。端末装置において、下りリンクに対するミニスロットの受信から上りリンクに対するミニスロ
ットの送信に切り替える場合、下りリンクミニスロットと上りリンクミニスロットの間にスイッチングポイントに相当するギャップが含まれることが好ましい。
【００３９】
ミニスロットの構成（例えば、ミニスロットを構成するシンボルの数やサブキャリア間隔）は、ミニスロットに含まれる物理チャネルおよび／または物理信号に対して設定される種々のパラメータに基づいて規定されてもよい。１つのサブフレームおよび／または１つのスロットに複数のミニスロットが含まれる場合、特定の物理チャネルおよび／または特定の物理信号に対するミニスロットの構成は、１つのサブフレームおよび／または１つのスロット内では、同じ構成であることが好ましい。例えば、制御情報を含む物理チャネルの構成は、１つのサブフレームおよび／または１つのスロット内では、同じ構成であることが好ましいが、データ情報を含む物理チャネルの構成は、１つのサブフレームおよび／または１つのスロット内で異なってもよい。
【００４０】
また、ミニスロットを用いて送信および／または受信を行なうかどうかは、端末装置および基地局装置がサポートしている能力に基づいて決定されてもよい。つまり、ミニスロットを用いた送信および／または受信は、共通および／または個別の上位層のシグナリングおよび／または物理層シグナリングを介して、ミニスロットに関連するパラメータが設定されるまで行なわれなくてもよい。
【００４１】
なお、ミニスロット、および、ミニスロット内に配置される物理チャネルおよび／または物理信号は、サブフレーム境界上に（つまり、隣接するサブフレームを横断するように）配置されないことが好ましい。また、ミニスロット、および、ミニスロット内に配置される物理チャネルおよび／または物理信号は、スロット境界上（隣接するスロット間）に配置されないことが好ましい。
【００４２】
図１は、本実施形態に係るスロットとミニスロットの構成の一例を示す図である。図１において、スロットを構成するＯＦＤＭシンボルの数は７である。ミニスロットは、スロットを構成するＯＦＤＭシンボルの数よりも小さいＯＦＤＭシンボルの数により構成されてもよい。また、ミニスロットは、スロットよりも短い長さであってもよい。図１は、ミニスロットの構成の一例として、ミニスロット＃０からミニスロット＃５を示している。ミニスロットは、ミニスロット＃０に示されるように、１つのＯＦＤＭシンボルにより構成されてもよい。また、ミニスロットは、ミニスロット＃１から＃３に示されるように２つのＯＦＤＭシンボルにより構成されてもよい。また、ミニスロット＃１とミニスロット＃２によって示されるように、２つのミニスロットの間にギャップが挿入されてもよい。また、ミニスロットは、ミニスロット＃５に示されるように、スロット＃０とスロット＃１の境界をまたいで構成されてもよい。つまり、ミニスロットはスロットの境界をまたいで構成されてもよい。ここで、ミニスロットは、サブスロットとも呼称される。また、ミニスロットは、ｓＴＴＩ（ｓｈｏｒｔ  ＴＴＩ：Ｔｒａｎｓｍｉｓｓｉｏｎ  Ｔｉｍｅ  Ｉｎｔｅｒｖａｌ）とも称される。また、以下では、スロットは、ミニスロットに読み替えられてもよい。ミニスロットは、スロットと同じＯＦＤＭシンボルの数により構成されてもよい。ミニスロットは、スロットを構成するＯＦＤＭシンボルの数よりも多いＯＦＤＭの数により構成されてもよい。ミニスロットの時間領域の長さは、スロットより短くてもよい。ミニスロットの時間領域の長さは、１つのサブフレーム（例えば、１ｍｓ）より短くてもよい。
【００４３】
１つのオペレーティングバンドに対して、１つ、または、１つよりも多いサブキャリア間隔が規定、または、使用されてもよい。例えば、オペレーティングバンドインデックス１に対して、サブキャリア間隔が１５ｋＨｚ、３０ｋＨｚ、６０ｋＨｚの物理チャネルおよび／または物理信号を用いた送信および受信がサポートされてもよい。また、オペレーティングバンドインデックス２に対して、サブキャリア間隔が１５ｋＨｚの物理チャネル
および／または物理信号を用いた送信および受信がサポートされてもよい。
【００４４】
連続するサブフレーム／スロット／ミニスロット間で、ＲＦ（Ｒａｄｉｏ  Ｆｒｅｑｕｅｎｃｙ）帯域幅が異なる場合、且つ、前のサブフレーム／スロット／ミニスロットにおける第１のＲＦ帯域幅よりも後のサブフレーム／スロット／ミニスロットにおける第２のＲＦ帯域幅の方が広い場合には、端末装置は、連続するサブフレーム／スロット／ミニスロット間で、所定の期間よりも長いギャップがなければ、第２のＲＦ帯域幅のサブフレーム／スロット／ミニスロットにおける物理チャネルおよび／または物理信号を受信することを期待しなくてもよい。
【００４５】
サブキャリア間隔に対応する、１つのシンボルに対する、シンボルの長さと付与されるＣＰの長さの割合が同じ場合、異なるサブキャリア間隔に対応するシンボルレベルでのアラインメントが行なわれてもよい。ここで、シンボルレベルでのアラインメントとは、基準となるサブキャリア間隔におけるシンボルの境界に対して、異なるサブキャリア間隔に対応するシンボルがオーバーラップして配置されないことを意図してもよい。つまり、あるブキャリア間隔におけるシンボルの境界に対して、異なるサブキャリア間隔に対するシンボルが収まるようにシンボル長またはＣＰ長が調整されることを意図してもよい。例えば、第１のサブキャリア間隔に対応するシンボルの境界上に、第２のサブキャリア間隔に対応するシンボルが配置されないことが好ましい。
【００４６】
次に、本実施形態に係る物理チャネルおよび物理信号について説明する。下りリンクに関する物理チャネルおよび物理信号をそれぞれ、下りリンク物理チャネルおよび下りリンク物理信号と称してもよい。また、上りリンクに関する物理チャネルおよび物理信号をそれぞれ、上りリンク物理チャネルおよび上りリンク物理信号と称してもよい。
【００４７】
下りリンクに対する物理チャネルは、例えば、報知情報、システム情報、ページング情報、各種設定情報、ＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）、ユーザデータ、制御データを送信するために用いられてもよい。用途に応じてそれぞれ、物理チャネルに用いられるリソース割り当て方法や系列生成方法が定義されてもよい。下りリンクユーザデータには、下りリンク共用データが含まれてもよい。制御データには、下りリンク制御情報（ＤＣＩ）が含まれてもよい。制御データには、下りリンクおよび／または上りリンクのスケジューリングに用いられるグラントが含まれてもよい。例えば、報知情報は、物理報知チャネルで送信されてもよい。ページング情報は、物理ページングチャネルで送信されてもよい。ユーザデータは、物理共用チャネルで送信されてもよい。制御データは、物理制御チャネルで送信されてもよい。また、報知情報、システム情報、ページング情報は、物理共用チャネルで送信されてもよい。
【００４８】
基地局装置２から端末装置１への下りリンクの無線通信では、具体的には、以下の下りリンク物理チャネルが用いられてもよい。下りリンク物理チャネルは、上位層から出力された情報を送信するために、物理層によって使用されてもよい。
・ＰＢＣＨ（Ｐｈｙｓｉｃａｌ  Ｂｒｏａｄｃａｓｔ  Ｃｈａｎｎｅｌ）
・ＰＤＣＣＨ（Ｐｈｙｓｉｃａｌ  Ｄｏｗｎｌｉｎｋ  Ｃｏｎｔｒｏｌ  Ｃｈａｎｎｅｌ）
・ＰＤＳＣＨ（Ｐｈｙｓｉｃａｌ  Ｄｏｗｎｌｉｎｋ  Ｓｈａｒｅｄ  Ｃｈａｎｎｅｌ）
【００４９】
ＰＢＣＨは、端末装置１において共通に用いられるマスターインフォメーションブロック（ＭＩＢ、ＢＣＨ、Ｂｒｏａｄｃａｓｔ  Ｃｈａｎｎｅｌ）を報知するために用いられる。ＰＢＣＨは、所定の送信間隔に基づき送信されてもよい。例えば、ＰＢＣＨは、８０ｍｓの間隔で送信されてもよい。ＰＢＣＨに含まれる情報の中身は、８０ｍｓ毎に更新さ
れてもよい。ＰＢＣＨは、２８８サブキャリアにより構成されてもよい。ＰＢＣＨは、２、３、または、４ＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および、無線フレームの番号の少なくとも一部を指示する情報を含んでもよい。
【００５０】
ＰＤＣＣＨは、下りリンク制御情報（ＤＣＩ）を送信するために用いられる。下りリンク制御情報は、ＤＣＩフォーマットとも称されてもよい。１つのＤＣＩフォーマットを構成するＤＣＩの種類やビット数に基づいて、ＤＣＩフォーマットは規定されてもよい。下りリンク制御情報は、下りリンクグラントまたは上りリンクグラントのいずれかを少なくとも含んでもよい。下りリンクグラントは、下りリンクアサインメントまたは下りリンク割り当てとも称されてもよい。
【００５１】
１つの下りリンクグラントは、１つのサービングセル内の１つのＰＤＳＣＨのスケジューリングのために少なくとも用いられる。下りリンクグラントは、該下りリンクグラントが送信されたスロットと同じスロット内のＰＤＳＣＨのスケジューリングのために少なくとも用いられてもよい。
【００５２】
１つの上りリンクグラントは、１つのサービングセル内の１つのＰＵＳＣＨのスケジューリングのために少なくとも用いられてもよい。
【００５３】
端末装置１は、ＰＤＣＣＨの探索のために、１または複数の制御リソースセット（ＣＯＲＥＳＥＴ）が設定されてもよい。端末装置１は、設定された制御リソースセットにおいてＰＤＣＣＨの受信を試みてもよい。
【００５４】
制御リソースセットは、周波数領域（周波数リソース）において、制御リソースセットのマッピングの単位はリソースブロックであってもよい。また、時間領域（時間リソース）において、制御リソースセットのマッピングの単位はＯＦＤＭシンボルであってもよい。
【００５５】
制御リソースセットの周波数領域は、サービングセルのシステム帯域幅と同一であってもよい。また、制御リソースセットの周波数領域は、サービングセルのシステム帯域幅に少なくとも基づき与えられてもよい。制御リソースセットの周波数領域は、上位層のシグナリング、および／下りリンク制御情報に少なくとも基づき与えられてもよい。
【００５６】
制御リソースセットの時間領域は、上位層のシグナリング、および／または、下りリンク制御情報に少なくとも基づき与えられてもよい。
【００５７】
制御リソースセットは、共通制御リソースセットおよび専用制御リソースセットの一方または両方を少なくとも含んでもよい。共通制御リソースセットは、複数の端末装置１に対して共通に設定される制御リソースセットであってもよい。また、共通制御リソースセットは、ＭＩＢ、第１のシステム情報、第２のシステム情報、共通ＲＲＣシグナリング、セルＩＤ、等に少なくとも基づき与えられてもよい。専用制御リソースセットは、端末装置１のために専用的に用いられるように設定される制御リソースセットであってもよい。専用制御リソースセットは、専用ＲＲＣシグナリング、および／または、Ｃ−ＲＮＴＩの値に少なくとも基づき与えられてもよい。
【００５８】
制御リソースセットは、端末装置１がモニタする制御チャネル（または、制御チャネルの候補）のセットであってもよい。制御リソースセットは、端末装置１がモニタする制御チャネル（または、制御チャネルの候補）のセットを含んでもよい。制御リソースセット
は、１または複数の探索領域（ＳＳ）を含んで構成されてもよい。制御リソースセットは、１つの探索領域であってもよい。
【００５９】
探索領域は、１または複数のＰＤＣＣＨ候補（ＰＤＣＣＨ  ｃａｎｄｉｄａｔｅ）を含んで構成されてもよい。端末装置１は、探索領域に含まれるＰＤＣＣＨ候補を受信し、ＰＤＣＣＨの受信を試みる。ここで、ＰＤＣＣＨ候補は、ブラインド検出候補（ｂｌｉｎｄ
ｄｅｔｅｃｔｉｏｎ  ｃａｎｄｉｄａｔｅ）とも称されてもよい。
【００６０】
探索領域は、ＣＳＳ（Ｃｏｍｍｏｎ  Ｓｅａｒｃｈ  Ｓｐａｃｅ）およびＵＳＳ（ＵＥ−ｓｐｅｃｉｆｉｃ  Ｓｅａｒｃｈ  Ｓｐａｃｅ）の一方または両方を少なくとも含んでもよい。ＣＳＳは、複数の端末装置１に対して共有に設定される探索領域であってもよい。ＵＳＳは、端末装置１のために専用的に用いられる設定を含む探索領域であってもよい。ＣＳＳは、ＭＩＢ、第１のシステム情報、第２のシステム情報、共通ＲＲＣシグナリング、セルＩＤ、等に少なくとも基づき与えられてもよい。ＵＳＳは、専用ＲＲＣシグナリング、および／または、Ｃ−ＲＮＴＩの値に少なくとも基づき与えられてもよい。
【００６１】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。専用制御リソースセットは、ＣＳＳを含まなくてもよい。
【００６２】
探索領域の物理リソースは制御チャネルの構成単位（ＣＣＥ：Ｃｏｎｔｒｏｌ  Ｃｈａｎｎｅｌ  Ｅｌｅｍｅｎｔ）により構成される。ＣＣＥは所定の数のリソース要素グループ（ＲＥＧ：Ｒｅｓｏｕｒｃｅ  Ｅｌｅｍｅｎｔ  Ｇｒｏｕｐ）により構成されてもよい。例えば、ＣＣＥは６個のＲＥＧにより構成されてもよい。ＲＥＧは１つのＰＲＢ（Ｐｈｙｓｉｃａｌ  Ｒｅｓｏｕｒｃｅ  Ｂｌｏｃｋ）の１つのＯＦＤＭシンボルにより構成されてもよい。つまり、ＲＥＧは１２個のリソースエレメント（ＲＥ：Ｒｅｓｏｕｒｃｅ  Ｅｌｅｍｅｎｔ）を含んで構成されてもよい。ＰＲＢは、単にＲＢ（Ｒｅｓｏｕｒｃｅ  Ｂｌｏｃｋ）とも称されてもよい。
【００６３】
ＰＤＳＣＨは、下りリンクデータ（ＤＬ−ＳＣＨ、ＰＤＳＣＨ）を送信するために用いられる。下りリンクデータには、種々の測定や送信電力の設定に用いられるパラメータが含まれてもよい。また、ＰＤＳＣＨは、ランダムアクセスメッセージ２（ランダムアクセスレスポンス）を送信するために用いられてもよい。また、ＰＤＳＣＨは、初期アクセスのために用いられるパラメータを含むシステム情報を送信するために用いられてもよい。また、ＰＤＳＣＨは、ページング情報を送信するために用いられてもよい。
【００６４】
下りリンクに対する物理信号は、例えば、下りリンク物理チャネルの復調、時間周波数同期（シンボルアラインメント、サブキャリア間隔同期、スロット同期、サブフレーム同期）、タイミング同期（タイミング調整）、セルＩＤの捕捉／検出、ＲＲＭ（Ｒａｄｉｏ
Ｒｅｓｏｕｒｃｅ  Ｍａｎａｇｅｍｅｎｔ）測定、ＣＳＩ（Ｃｈａｎｎｅｌ  Ｓｔａｔｅ  Ｉｎｆｏｒｍａｔｉｏｎ）測定、ビームマネジメントおよび／またはビーム捕捉、ポジショニングのために用いられてもよい。用途に応じてそれぞれ、物理信号に用いられるリソース割り当て方法や系列生成方法が定義されてもよい。
【００６５】
下りリンクの無線通信では、以下の下りリンク物理シグナルが用いられてもよい。下りリンク物理信号は、上位層から出力された情報を送信するために使用されなくてもよいが、物理層によって使用されてもよい。
・同期信号（ＳＳ：Ｓｙｎｃｈｒｏｎｉｚａｔｉｏｎ  ｓｉｇｎａｌ）
・下りリンク参照信号（ＤＬ  ＲＳ：Ｄｏｗｎｌｉｎｋ  Ｒｅｆｅｒｅｎｃｅ  Ｓｉｇｎａｌ）
【００６６】
同期信号は、端末装置１が下りリンクの周波数領域および時間領域の同期をとるために用いられる。同期信号は、ＰＳＳ（Ｐｒｉｍａｒｙ  Ｓｙｎｃｈｒｏｎｉｚａｔｉｏｎ  Ｓｉｇｎａｌ）、および、ＳＳＳ（Ｓｅｃｏｎｄ  Ｓｙｎｃｈｒｏｎｉｚａｔｉｏｎ  Ｓｉｇｎａｌ）を含む。また、位相回転を測定するためのＰＴＳＳ（Ｐｈａｓｅ  Ｔｒａｃｋｉｎｇ  Ｓｙｎｃｈｒｏｎｉｚａｔｉｏｎ  Ｓｉｇｎａｌ）が含まれてもよい。
【００６７】
少なくともＰＳＳ、ＳＳＳ、ＰＢＣＨから構成される１つのセットは、ＳＳブロックと称されてもよい。また、ＳＳブロックには、システム情報が含まれてもよい。また、ＳＳブロックに含まれるＰＢＣＨに基づいて、システム情報を含むＰＤＳＣＨをスケジューリングするためのＰＤＣＣＨが示されてもよい。また、異なるＳＳブロック間において、識別するために用いられるインデックスは異なってもよい。
【００６８】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００６９】
本実施形態において、以下の下りリンク参照信号が用いられてもよい。
・ＤＭＲＳ（ＤｅＭｏｄｕｌａｔｉｏｎ  Ｒｅｆｅｒｅｎｃｅ  Ｓｉｇｎａｌ）
・Ｓｈａｒｅｄ  ＲＳ（Ｓｈａｒｅｄ  Ｒｅｆｅｒｅｎｃｅ  Ｓｉｇｎａｌ）
・ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）
【００７０】
ＤＭＲＳは、ＰＤＣＣＨ、および／または、ＰＤＳＣＨの送信に対応する。ＤＭＲＳは、ＰＤＣＣＨまたはＰＤＳＣＨに多重される。端末装置１は、ＰＤＣＣＨまたはＰＤＳＣＨの伝搬路補正を行なうために該ＰＤＣＣＨまたは該ＰＤＳＣＨと対応するＤＭＲＳを使用してもよい。以下、ＰＤＣＣＨと該ＰＤＣＣＨと対応するＤＭＲＳが共に送信されることは、単にＰＤＣＣＨが送信されると称されてもよい。以下、ＰＤＳＣＨと該ＰＤＳＣＨと対応するＤＭＲＳが共に送信されることは、単にＰＤＳＣＨが送信されると称されてもよい。
【００７１】
ＤＭＲＳは、端末装置１に個別に設定されるＲＳであってもよい。ＤＭＲＳの系列は、端末装置１に個別に設定されるパラメータに少なくとも基づいて与えられてもよい。ＤＭＲＳは、ＰＤＣＣＨ、および／または、ＰＤＳＣＨのために個別に送信されてもよい。一方、Ｓｈａｒｅｄ  ＲＳは、複数の端末装置１に共通に設定されるＲＳであってもよい。Ｓｈａｒｅｄ  ＲＳの系列は、端末装置１に個別に設定されるパラメータとは関係なく与えられてもよい。例えば、Ｓｈａｒｅｄ  ＲＳの系列は、スロットの番号、ミニスロットの番号、および、セルＩＤの少なくとも一部に基づいて与えられてもよい。Ｓｈａｒｅｄ
ＲＳは、ＰＤＣＣＨ、および／または、ＰＤＳＣＨが送信されているか否かに関わらず送信されるＲＳであってもよい。
【００７２】
Ｓｈａｒｅｄ  ＲＳは、少なくともＰＤＣＣＨの送信に対応してもよい。Ｓｈａｒｅｄ
ＲＳは、ＰＤＣＣＨに多重されてもよい。端末装置１は、ＰＤＣＣＨの伝搬路補正を行うためにＳｈａｒｅｄ  ＲＳを使用してもよい。以下、ＰＤＣＣＨとＳｈａｒｅｄ  ＲＳが共に送信されることは、単にＰＤＣＣＨが送信されるとも称されてもよい。
【００７３】
ＣＳＩ−ＲＳは、ＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）などのＲＲＭ測定やＣＳＩを測定するために用いられてもよい。ＲＲＭ測定に対するＣＳＩ−ＲＳ設定とＣＳＩ測定に対するＣＳＩ−ＲＳ設定は、個別に設定されて
もよい。ＲＳＲＰは、端末装置１が特定の信号を特定の条件において測定することによって得られる受信電力である。ＲＳＲＱは、端末装置１が特定の信号を特定の条件において測定することによって得られる受信品質である。
【００７４】
ＣＳＩ−ＲＳは、上位層パラメータが設定されることによって周期的に送信されるＣＳＩ−ＲＳと、ＤＣＩフォーマットに含まれるＣＳＩリクエストによって送信が指示されるＣＳＩ−ＲＳがあってもよい。
【００７５】
ＢＣＨ、ＵＬ−ＳＣＨおよびＤＬ−ＳＣＨは、トランスポートチャネルである。媒体アクセス制御（ＭＡＣ：Ｍｅｄｉｕｍ  Ａｃｃｅｓｓ  Ｃｏｎｔｒｏｌ）層で用いられるチャネルはトランスポートチャネルと呼称される。ＭＡＣ層で用いられるトランスポートチャネルの単位は、トランスポートブロックまたはＭＡＣ  ＰＤＵとも呼称される。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に変調処理が行なわれる。
【００７６】
基地局装置２と端末装置１は、上位層において信号をやり取り（送受信）する。例えば、基地局装置２と端末装置１は、無線リソース制御（ＲＲＣ）層において、ＲＲＣシグナリング（ＲＲＣメッセージ、ＲＲＣ情報とも称される）を送受信してもよい。また、基地局装置２と端末装置１は、ＭＡＣ層において、ＭＡＣ  ＣＥ（Ｃｏｎｔｒｏｌ  Ｅｌｅｍｅｎｔ）を送受信してもよい。ここで、ＲＲＣシグナリング、および／または、ＭＡＣ  ＣＥを、上位層の信号または上位層シグナリングとも称する。
【００７７】
ＰＵＳＣＨおよびＰＤＳＣＨは、ＲＲＣシグナリング、および、ＭＡＣ  ＣＥを送信するために少なくとも用いられてもよい。ここで、基地局装置２よりＰＤＳＣＨで送信されるＲＲＣシグナリングは、セル内における複数の端末装置１に対して共通のシグナリングであってもよい。セル内における複数の端末装置１に対して共通のシグナリングは、共通ＲＲＣシグナリングとも称されてもよい。基地局装置２からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも称される）であってもよい。端末装置１に対して専用のシグナリングは、専用ＲＲＣシグナリングとも称されてもよい。セルスペシフィックパラメータは、セル内における複数の端末装置１に対して共通のシグナリング、または、ある端末装置１に対して専用のシグナリングを用いて送信されてもよい。ＵＥスペシフィックパラメータは、ある端末装置１に対して専用のシグナリングを用いて送信されてもよい。専用ＲＲＣシグナリングを含むＰＤＳＣＨは、第１の制御リソースセット内のＰＤＣＣＨによってスケジュールされてもよい。
【００７８】
ＢＣＣＨ（Ｂｒｏａｄｃａｓｔ  Ｃｏｎｔｒｏｌ  ＣＨａｎｎｅｌ）、ＣＣＣＨ（Ｃｏｍｍｏｎ  Ｃｏｎｔｒｏｌ  ＣＨａｎｎｅｌ）、および、ＤＣＣＨ（Ｄｅｄｉｃａｔｅｄ
Ｃｏｎｔｒｏｌ  ＣＨａｎｅｅｌ）は、ロジカルチャネルである。例えば、ＢＣＣＨは、ＭＩＢを送信するために用いられる上位層のチャネルである。また、ＣＣＣＨ（Ｃｏｍｍｏｎ  Ｃｏｎｔｒｏｌ  Ｃｈａｎｎｅｌ）は、複数の端末装置１において共通な情報を送信するために用いられる上位層のチャネルである。ここで、ＣＣＣＨは、例えば、ＲＲＣ接続されていない端末装置１のために用いられる。また、ＤＣＣＨ（Ｄｅｄｉｃａｔｅｄ  Ｃｏｎｔｒｏｌ  Ｃｈａｎｎｅｌ）は、端末装置１に個別の制御情報（ｄｅｄｉｃａｔｅｄ  ｃｏｎｔｒｏｌ  ｉｎｆｏｒｍａｔｉｏｎ）を送信するために用いられる上位層のチャネルである。ここで、ＤＣＣＨは、例えば、ＲＲＣ接続されている端末装置１のために用いられる。
【００７９】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【００８０】
トランスポートチャネルにおけるＵＬ−ＳＣＨは、物理チャネルにおいてＰＵＳＣＨにマップされる。トランスポートチャネルにおけるＤＬ−ＳＣＨは、物理チャネルにおいてＰＤＳＣＨにマップされる。トランスポートチャネルにおけるＢＣＨは、物理チャネルにおいてＰＢＣＨにマップされる。
【００８１】
上りリンクに対する物理チャネルは、例えば、端末装置の能力情報、ＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）、ＲＲＭ測定やＣＳＩ測定の測定結果の報告、ユーザデータ、制御データ、ランダムアクセスプリアンブル（ランダムアクセス情報）を送信するために用いられてもよい。用途に応じてそれぞれ、物理チャネルに用いられるリソース割り当て方法や系列生成方法が定義されてもよい。上りリンクユーザデータには、上りリンク共用データが含まれてもよい。ユーザデータおよび／または制御データには、上りリンク制御情報（ＵＣＩ）が含まれてもよい。ＵＣＩは、ＨＡＲＱ（Ｈｙｂｒｉｄ  Ａｕｔｏ  Ｒｅｐｅａｔ  ｒｅＱｕｅｓｔ）やＣＳＩに関するフィードバック情報が含まれてもよい。ユーザデータは、物理共用チャネル（ＰＳＣＨ）で送信されてもよい。制御データは、物理制御チャネル（ＰＣＣＨ）で送信されてもよい。ランダムアクセスプリアンブルは、物理ランダムアクセスチャネル（ＰＲＡＣＨ）で送信されてもよい。
【００８２】
端末装置１から基地局装置２への上りリンクの無線通信では、具体的には、以下の上りリンク物理チャネルが少なくとも用いられてもよい。上りリンク物理チャネルは、上位層から出力された情報を送信するために、物理層によって使用されてもよい。
・ＰＵＣＣＨ（Ｐｈｙｓｉｃａｌ  Ｕｐｌｉｎｋ  Ｃｏｎｔｒｏｌ  Ｃｈａｎｎｅｌ）
・ＰＵＳＣＨ（Ｐｈｙｓｉｃａｌ  Ｕｐｌｉｎｋ  Ｓｈａｒｅｄ  Ｃｈａｎｎｅｌ）
・ＰＲＡＣＨ（Ｐｈｙｓｉｃａｌ  Ｒａｎｄｏｍ  Ａｃｃｅｓｓ  Ｃｈａｎｎｅｌ）
【００８３】
ＰＵＣＣＨは、上りリンク制御情報（ＵＣＩ：Ｕｐｌｉｎｋ  Ｃｏｎｔｒｏｌ  Ｉｎｆｏｒｍａｔｉｏｎ）を送信するために用いられる。上りリンク制御情報は、下りリンクチャネルのチャネル状態情報（ＣＳＩ：Ｃｈａｎｎｅｌ  Ｓｔａｔｅ  Ｉｎｆｏｒｍａｔｉｏｎ）、初期送信のためのＰＵＳＣＨ（ＵＬ−ＳＣＨ：Ｕｐｌｉｎｋ−Ｓｈａｒｅｄ  Ｃｈａｎｎｅｌ）リソースを要求するために用いられるスケジューリングリクエスト（ＳＲ）、下りリンクデータ（ＴＢ：Ｔｒａｎｓｐｏｒｔ  ｂｌｏｃｋ、ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＤＬ−ＳＣＨ：Ｄｏｗｎｌｉｎｋ−Ｓｈａｒｅｄ  Ｃｈａｎｎｅｌ、ＰＤＳＣＨ：Ｐｈｙｓｉｃａｌ  Ｄｏｗｎｌｉｎｋ  Ｓｈａｒｅｄ  Ｃｈａｎｎｅｌ）に対するＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）を含む。ＨＡＲＱ−ＡＣＫは、ＡＣＫ（ａｃｋｎｏｗｌｅｄｇｅｍｅｎｔ）またはＮＡＣＫ（ｎｅｇａｔｉｖｅ−ａｃｋｎｏｗｌｅｄｇｅｍｅｎｔ）を示す。ＨＡＲＱ−ＡＣＫを、ＨＡＲＱフィードバック、ＨＡＲＱ情報、ＨＡＲＱ制御情報、および、ＡＣＫ／ＮＡＣＫとも称する。
【００８４】
チャネル状態情報（ＣＳＩ：Ｃｈａｎｎｅｌ  Ｓｔａｔｅ  Ｉｎｆｏｒｍａｔｉｏｎ）は、チャネル品質指標（ＣＱＩ：  Ｃｈａｎｎｅｌ  Ｑｕａｌｉｔｙ  Ｉｎｄｉｃａｔｏｒ）とランク指標（ＲＩ：  Ｒａｎｋ  Ｉｎｄｉｃａｔｏｒ）を少なくとも含む。チャネル品質指標は、プレコーダ行列指標（ＰＭＩ：Ｐｒｅｃｏｄｅｒ  Ｍａｔｒｉｘ  Ｉｎｄ
ｉｃａｔｏｒ）を含んでもよい。ＣＱＩは、チャネル品質（伝搬強度）に関連する指標であり、ＰＭＩは、プレコーダを指示する指標である。ＲＩは、送信ランク（または、送信レイヤ数）を指示する指標である。
【００８５】
ＰＵＳＣＨは、上りリンクデータ（ＴＢ、ＭＡＣ  ＰＤＵ、ＵＬ−ＳＣＨ、ＰＵＳＣＨ）を送信するために用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。なお、ＰＵＳＣＨは、ランダムアクセス手順の際に、ランダムアクセスメッセージ３を送信するために用いられてもよい。ランダムアクセスメッセージ３は、ランダムアクセスレスポンスグラントによってスケジュールされてもよい。
【００８６】
ＰＲＡＣＨは、ランダムアクセスプリアンブル（ランダムアクセスメッセージ１）を送信するために用いられる。ＰＲＡＣＨは、初期コネクション確立手順、ハンドオーバプロシージャ、コネクション再確立手順、上りリンクデータの送信に対する同期（タイミング調整）、およびＰＵＳＣＨ（ＵＬ−ＳＣＨ）リソースの要求を示すために用いられる。ランダムアクセスプリアンブルは、端末装置１の上位層より与えられるインデックス（ランダムアクセスプリアンブルインデックス）を基地局装置２に通知するために用いられてもよい。
【００８７】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成されてもよい。１つのセルにおいて、複数のランダムアクセスプリアンブルが定義されてもよい。ランダムアクセスプリアンブルは、ランダムアクセスプリアンブルのインデックス少なくとも基づき特定されてもよい。ランダムアクセスプリアンブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少なくとも基づき特定されてもよい。
【００８８】
上りリンクに対する物理信号は、例えば、上りリンク物理チャネルの復調、時間周波数同期、タイミング同期およびタイミング調整、チャネル状態測定、ビームマネジメントおよび／またはビーム捕捉、端末装置のポジショニングのために用いられてもよい。用途に応じてそれぞれ、物理信号に用いられるリソース割り当て方法や系列生成方法が定義されてもよい。
【００８９】
上りリンクの無線通信では、具体的には、以下の上りリンク物理シグナルが用いられてもよい。上りリンク物理シグナルは、上位層から出力された情報を送信するために使用されなくてもよいが、物理層によって使用されてもよい。
・上りリンク参照信号（ＵＬ  ＲＳ：Ｕｐｌｉｎｋ  Ｒｅｆｅｒｅｎｃｅ  Ｓｉｇｎａｌ）
【００９０】
本実施形態において、少なくとも以下の２つのタイプの上りリンク参照信号が少なくとも用いられてもよい。
・ＤＭＲＳ（Ｄｅｍｏｄｕｌａｔｉｏｎ  Ｒｅｆｅｒｅｎｃｅ  Ｓｉｇｎａｌ）
・ＳＲＳ（Ｓｏｕｎｄｉｎｇ  Ｒｅｆｅｒｅｎｃｅ  Ｓｉｇｎａｌ）
【００９１】
ＤＭＲＳは、ＰＵＳＣＨ、および／または、ＰＵＣＣＨの送信に関連する。ＤＭＲＳは、ＰＵＳＣＨまたはＰＵＣＣＨと多重される。基地局装置２は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００９２】
ＳＲＳは、ＰＵＳＣＨまたはＰＵＣＣＨの送信に関連しなくてもよい。基地局装置２は、チャネル状態の測定のためにＳＲＳを用いてもよい。また、ＳＲＳは、端末装置１の送信ビーム（送信プレコーディング）を基地局装置２が測定するために用いられてもよい。また、ＳＲＳは、基地局装置２が上りリンク、または、上りリンクキャリア周波数に対するＲＳＲＰまたはパスロスを測定するために用いられてもよい。また、ＳＲＳは、基地局装置２が上りリンクに対するタイミングを測定するために用いられてもよい。また、ＳＲＳは、上りリンクスロットにおけるサブフレームまたはスロットの最後、または、最後から所定数のＯＦＤＭシンボルにおいて送信されてもよい。また、ＳＲＳは、上りリンクグラントまたは下りリンクグラントに含まれるＳＲＳリクエストに基づいて、送信が指示されてもよい。また、ＳＲＳは、１つのセルに対して複数のパラメータセットが設定されてもよい。つまり、１つのセルにおいて、１つ、または、複数のＳＲＳがトリガされてもよい。
【００９３】
下りリンクと上りリンクで、リソース割り当て方法や系列生成方法は異なってもよい。また、各物理チャネルは、ある情報、または、あるデータを含む物理チャネルと称されてもよい。
【００９４】
次に、本実施形態に係るｎｕｍｅｒｏｌｏｇｙについて説明する。
【００９５】
なお、本実施形態に係るｎｕｍｅｒｏｌｏｇｙには下記パラメータのうち、１つ、または、全部が含まれてもよい。下記パラメータはそれぞれ、端末装置毎、セル（サービングセル）毎、セルグループ毎、ビーム（送信プレコーディング、受信プレコーディング）毎、ビームグループ（送信プレコーディンググループ、受信プレコーディンググループ）毎、物理チャネル毎、ＭＡＣエンティティ毎に設定されてもよい。また、下記パラメータはそれぞれ、オペレーティングバンドに対応してもよい。また、下記パラメータはそれぞれ、デフォルト値が設定されてもよい。また、下記パラメータはそれぞれ、報知情報、システム情報、ページング情報、上位層の信号（ＲＲＣシグナリング）、ＤＣＩのうち、少なくとも１つを用いて設定されてもよい。
（Ａ０）サブキャリア間隔
（Ａ１）１つのスロット／ミニスロットを構成するシンボルの数
（Ａ２）１つのスロット／ミニスロットの時間長（ＴＴＩ長）
（Ａ３）１つのシンボルの長さ
（Ａ４）１つのシンボルに付与されるＣＰの長さ
（Ａ５）１つのミニスロットを構成するシンボルの数
（Ａ６）ＦＦＴサイズ（サンプリングレート）
【００９６】
物理制御チャネルをモニタする時間周波数領域を制御リソースセットと称してもよい。コントロールリソースセットは、ＣＳＳ（Ｃｏｍｍｏｎ  Ｓｅａｒｃｈ  Ｓｐａｃｅ）とＵＳＳ（ＵＥ−ｓｐｅｃｉｆｉｃ  Ｓｅａｒｃｈ  Ｓｐａｃｅ）のそれぞれに対して設定されてもよい。複数の制御リソースセットが設定可能である場合、制御リソースセット毎に、ｎｕｍｅｒｏｌｏｇｙが対応付けられてもよい。
【００９７】
次に、本実施形態に係るランダムアクセス手順について説明する。ランダムアクセスは
、初期アクセス（初期接続）、ＲＲＣ接続再確立、ハンドオーバ、下りリンクデータアライバル、上りリンクデータアライバル、タイミング調整のために行なわれる。
【００９８】
図２は、４ステップランダムアクセス手順の一例を示す図である。このようなランダムアクセス手順をコンテンションベースランダムアクセス手順と称されてもよい。端末装置１がＲＲＣ接続確立後のランダムアクセス手順をノンコンテンションベースランダムアクセス手順と称されてもよい。
【００９９】
ステップ５１０１は、端末装置１がターゲットセルに物理チャネルを介して、初期接続のための応答を要求するステップである。または、ステップ５１０１は、端末装置１がターゲットセルに物理チャネルを介して最初の送信を行うステップである。ここで、該物理チャネルは、例えば、ＰＲＡＣＨであってもよい。該物理チャネルは、初期接続のための応答を要求するために専用的に用いられるチャネルであってもよい。また、該物理チャネルは、ＰＲＡＣＨであってもよい。ステップ５１０１において、端末装置１より該物理チャネルを介して送信されるメッセージは、ランダムアクセスメッセージ１とも呼称される。ランダムアクセスメッセージ１は、上位層シグナリング（上位層パラメータ）によって設定されたランダムアクセスプリアンブルであってもよい。
【０１００】
端末装置１は、ステップ５１０１の実施に先立って、下りリンクの時間周波数同期を行う。第１の状態において端末装置１が下りリンクの時間周波数同期を行うために同期信号が用いられる。
【０１０１】
同期信号は、ターゲットセルのＩＤ（セルＩＤ）を含んで送信されてもよい。同期信号は、セルＩＤに少なくとも基づき生成される系列を含んで送信されてもよい。同期信号がセルＩＤを含むことは、セルＩＤに基づき同期信号の系列が与えられることであってもよい。同期信号は、ビーム（または、プレコーダ）が適用され、送信されてもよい。
【０１０２】
ビームは、方向に応じてアンテナ利得が異なる現象を示す。ビームは、アンテナの指向性に少なくとも基づき与えられてもよい。また、ビームは、搬送波信号の位相変換に少なくとも基づき与えられてもよい。また、ビームは、プレコーダが適用されることにより与えられてもよい。
【０１０３】
端末装置１は、ターゲットセルより送信されるＰＢＣＨを受信する。ＰＢＣＨは、端末装置１がターゲットセルと接続するために用いられる重要なシステム情報を含むＭＩＢを含んで送信されてもよい。ＭＩＢは、システム情報である。ＭＩＢは、無線フレームの番号に関する情報を含んでもよい。ＭＩＢは、複数の無線フレームで構成されるスーパーフレーム内における位置に関する情報（例えば、スーパーフレーム内におけるシステムフレーム番号（ＳＦＮ）の少なくとも一部を示す情報）を含んでもよい。また、ＰＢＣＨは、同期信号のインデックスを含んでもよい。ＰＢＣＨは、ＰＤＣＣＨの受信（モニタリング）に関連する情報を含んでもよい。ＭＩＢは、トランスポートチャネルにおいてＢＣＨにマップされてもよい。ＭＩＢは、ロジカルチャネルにおいてＢＣＣＨにマップされてもよい。
【０１０４】
ＰＤＣＣＨの受信に関連する情報は、制御リソースセットを示す情報を含んでもよい。制御リソースセットを示す情報は、制御リソースセットがマップされるＰＲＢの数に関する情報を含んでもよい。制御リソースセットを示す情報は、制御リソースセットのマッピングを示す情報を含んでもよい。制御リソースセットを示す情報は、制御リソースセットがマップされるＯＦＤＭシンボルの数に関連する情報を含んでもよい。制御リソースセットを示す情報は、制御リソースセットがマップされるスロットの周期（ｐｅｒｉｏｄｉｃｉｔｙ）を示す情報を含んでもよい。端末装置１は、ＰＢＣＨに含まれる制御リソースセ
ットを示す情報に少なくとも基づき、ＰＤＣＣＨの受信を試みることができる。
【０１０５】
ＰＤＣＣＨの受信に関連する情報は、ＰＤＣＣＨの宛先を指示するＩＤに関連する情報を含んでもよい。ＰＤＣＣＨの宛先を指示するＩＤは、ＰＤＣＣＨに付加されるＣＲＣビットのスクランブルに用いられるＩＤであってもよい。ＰＤＣＣＨの宛先を指示するＩＤは、ＲＮＴＩ（Ｒａｄｉｏ  Ｎｅｔｗｏｒｋ  Ｔｅｍｐｏｒａｒｙ  Ｉｄｅｎｔｉｆｉｅｒ）とも呼称される。ＰＤＣＣＨに付加されるＣＲＣビットのスクランブルに用いられるＩＤに関連する情報を含んでもよい。端末装置１は、ＰＢＣＨに含まれる該ＩＤに関連する情報に少なくとも基づき、ＰＤＣＣＨの受信を試みることができる。
【０１０６】
ＲＮＴＩは、ＳＩ−ＲＮＴＩ（Ｓｙｓｔｅｍ  Ｉｎｆｏｒｍａｔｉｏｎ  −  ＲＮＴＩ）、Ｐ−ＲＮＴＩ（Ｐａｇｉｎｇ  −  ＲＮＴＩ）、Ｃ−ＲＮＴＩ（Ｃｏｍｍｏｎ  −  ＲＮＴＩ）、Ｔｅｍｐｏｒａｒｙ  Ｃ−ＲＮＴＩ、ＲＡ−ＲＮＴＩ（Ｒａｎｄｏｍ  Ａｃｃｅｓｓ  −  ＲＮＴＩ）を含んでもよい。ＳＩ−ＲＮＴＩは、システム情報を含んで送信されるＰＤＳＣＨのスケジューリングのために少なくとも用いられる。Ｐ−ＲＮＴＩは、ページング情報、および／または、システム情報の変更通知等の情報を含んで送信されるＰＤＳＣＨのスケジューリングのために少なくとも用いられる。Ｃ−ＲＮＴＩは、ＲＲＣ接続された端末装置１に対して、ユーザデータをスケジューリングするために用いられてもよい。Ｔｅｍｐｏｒａｒｙ  Ｃ−ＲＮＴＩは、ランダムアクセスメッセージ４のスケジューリングのために用いられてもよい。Ｔｅｍｐｏｒａｒｙ  Ｃ−ＲＮＴＩは、ロジカルチャネルにおけるＣＣＣＨにマップされるデータを含むＰＤＳＣＨをスケジューリングするために用いられてもよい。ＲＡ−ＲＮＴＩは、ランダムアクセスメッセージ２のスケジューリングのために用いられてもよい。
【０１０７】
ＰＤＣＣＨの受信に関連する情報は、制御リソースセットに含まれる探索領域の集約レベルに関する情報を含んでもよい。端末装置１は、ＰＢＣＨに含まれる制御リソースセットに含まれる探索領域の集約レベルに関する情報に少なくとも基づき、受信を試みるべきＰＤＣＣＨ候補の集約レベルを特定し、探索領域を決定することができる。
【０１０８】
ＰＤＣＣＨの受信に関連する情報は、ＣＣＥを構成するＲＥＧのマッピング方法に関連する情報を含んでもよい。ＣＣＥを構成するＲＥＧのマッピング方法に関連する情報は、連続的なマッピングと非連続的なマッピングを示す情報を含んでもよい。ＣＣＥを構成するＲＥＧのマッピング方法に関連する情報は、ＣＣＥを構成するＲＥＧのマッピング方法がＴｉｍｅ  ｆｉｒｓｔのマッピングであるかＦｒｅｑｕｅｎｃｙ  ｆｉｒｓｔのマッピングであるかを示す情報を含んでもよい。
【０１０９】
基地局装置２は、ＰＤＣＣＨの受信に関連する情報を含むＰＢＣＨを送信し、端末装置１に第１の制御リソースセットのモニタリングを指示することができる。端末装置１は、ＰＢＣＨに含まれるＰＤＣＣＨの受信に関連する情報を検出することに少なくとも基づき、第１の制御リソースセットのモニタリングを実施する。ここで、第１の制御リソースセットは、第１のシステム情報のスケジューリングのために用いられてもよい。また、第１のシステム情報は、端末装置１がターゲットセルに接続するために重要なシステム情報を含んでもよい。また、第１のシステム情報は、下りリンクの種々の設定に関する情報を含んでもよい。また、第１のシステム情報は、ＰＲＡＣＨの種々の設定に関する情報を含んでもよい。また、第１のシステム情報は、上りリンクの種々の設定に関する情報を含んでもよい。また、第１のシステム情報は、ランダムアクセスメッセージ３送信に設定される信号波形の情報（ＯＦＤＭまたはＤＦＴ−ｓ−ＯＦＤＭ）を含んでもよい。また、第１のシステム情報は、ＳＳブロックの設定に関する情報が含まれてもよい。また、第１のシステム情報は、ＲＲＭ測定に用いられるＣＳＩ−ＲＳの設定に関する情報を含んでもよい。なお、第１のシステム情報には、１つまたは複数の、ＳＳブロックの設定、および／また
は、ＣＳＩ−ＲＳの設定が、設定されてもよい。また、第１のシステム情報は、ＳＳブロック、および／または、ＣＳＩ−ＲＳに用いられる送信電力を示す情報が含まれてもよい。また、第１のシステム情報は、ＭＩＢに含まれる情報以外のシステム情報の一部を少なくとも含んでもよい。第１のシステム情報は、トランスポートチャネルにおいて、ＢＣＨにマップされてもよい。第１のシステム情報は、ロジカルチャネルにおいてＢＣＣＨにマップされてもよい。第１のシステム情報は、ＳＩＢ１（Ｓｙｓｔｅｍ  Ｉｎｆｏｒｍａｔｉｏｎ  Ｂｌｏｃｋ  ｔｙｐｅ  １）を少なくとも含んでもよい。第１のシステム情報は、ＳＩＢ２（Ｓｙｓｔｅｍ  Ｉｎｆｏｒｍａｔｉｏｎ  Ｂｌｏｃｋ  ｔｙｐｅ  ２）を少なくとも含んでもよい。第１の制御リソースセットは、ランダムアクセスメッセージ２のスケジューリングのために用いられてもよい。なお、ＳＩＢ１は、ＲＲＣ接続を行なうために必要な測定に関する情報を含んでもよい。また、ＳＩＢ２は、セル内の複数の端末装置１間で、共通、および／または、共有されるチャネルに関する情報を含んでもよい。
【０１１０】
端末装置１がモニタリングを行なう、ＰＤＣＣＨおよび／または制御リソースセットの設定には、下記パラメータが少なくとも１つは含まれてもよい。下記パラメータはサービングセル毎に設定されてもよい。
（Ｂ０）モニタリングする帯域幅またはリソースブロックの数
（Ｂ１）周波数ポジションまたは周波数オフセット
（Ｂ２）送信タイプまたはマッピングタイプ（例えば、局所配置か分散配置か）
（Ｂ３）スクランブリングＩＤ
（Ｂ４）スタートシンボル
（Ｂ５）時間領域（ＯＦＤＭシンボル数、期間）
（Ｂ６）複数設定される場合には、識別するための設定ＩＤ（ＰＤＣＣＨ  ＩＤ、ＣＯＲＥＳＥＴ  ＩＤ）
（Ｂ７）設定される場合には、周波数ホッピングパターン
（Ｂ８）設定される場合には、繰り返し送信回数
（Ｂ９）設定される場合には、ｎｕｍｅｒｏｌｏｇｙに関するパラメータ
（Ｂ１０）設定される場合には、ビーム（プレコーディング）に関するパラメータ
（Ｂ１１）設定される場合には、集約レベル
【０１１１】
ＰＤＣＣＨおよび／または制御リソースセットに関する設定は、目的に応じて個別に設定されてもよい。例えば、ページング情報を含む物理共用チャネルのスケジューリングに用いられるＰＤＣＣＨおよび／または制御リソースセットに関する第１の設定とシステム情報を含む物理共用チャネルのスケジューリングに用いられるＰＤＣＣＨおよび／または制御リソースセットに関する第２の設定は、個別に設定されてもよい。また、報知情報を含む物理共用チャネルのスケジューリングにＰＤＣＣＨおよび／または制御リソースセットに関する第３の設定は、第１の設定や第２の設定とは分けられて設定されてもよい。これらの設定は、上位層の信号を介して、設定されてもよい。
【０１１２】
ステップ５１０２は、基地局装置２が端末装置１に対して、ランダムアクセスメッセージ１への応答を行うステップである。該応答は、ランダムアクセスメッセージ２とも呼称される。ランダムアクセスメッセージ２は、ＰＤＳＣＨを介して送信されてもよい。ランダムアクセスメッセージ２を含むＰＤＳＣＨは、ＰＤＣＣＨによりスケジューリングされる。該ＰＤＣＣＨに含まれるＣＲＣビットは、ＲＡ−ＲＮＴＩによりスクランブルされてもよい。ランダムアクセスメッセージ２は、特別な上りリンクグラントを含んで送信されてもよい。該特別な上りリンクグラントは、ランダムアクセスレスポンスグラントとも称されてもよい。該特別な上りリンクグラントは、ランダムアクセスメッセージ２を含むＰＤＳＣＨに含まれてもよい。ランダムアクセスレスポンスグラントは、少なくともＴｅｍｐｏｒａｒｙ  Ｃ−ＲＮＴＩを含んでもよい。つまり、ランダムアクセスメッセージ２は、ランダムアクセスレスポンスグラントを含んでもよい。
【０１１３】
ランダムアクセスレスポンスグラントには、ランダムアクセスメッセージ３の送信電力に用いられる電力制御調整値に対する補正値を示す送信電力制御コマンド（ＴＰＣコマンド）が含まれてもよい。
【０１１４】
なお、受信したＴＰＣコマンドから得られた補正値を適宜、累算することによって得られる電力調整制御値を送信電力に用いることをＴＰＣアキュムレーションと称されてもよい。また、ＴＰＣコマンドから得られた補正値を累算することなく、直前に受信した１つの補正値を電力制御調整値として送信電力に用いることをＴＰＣアブソリュートと称されてもよい。
【０１１５】
ステップ５１０３は、端末装置１がターゲットセルに対して、ＲＲＣ接続のリクエストを送信するステップである。該ＲＲＣ接続のリクエストは、ランダムアクセスメッセージ３とも呼称される。ランダムアクセスメッセージ３は、ランダムアクセスレスポンスグラントによりスケジューリングされるＰＵＳＣＨを介して送信されてもよい。ランダムアクセスメッセージ３は、端末装置１の識別に用いられるＩＤを含んでもよい。該ＩＤは、上位層で管理されるＩＤであってもよい。該ＩＤは、Ｓ−ＴＭＳＩ（ＳＡＥ  Ｔｅｍｐｏｒａｒｙ  Ｍｏｂｉｌｅ  Ｓｕｂｓｃｒｉｂｅｒ  Ｉｄｅｎｔｉｔｙ）であってもよい。該ＩＤは、ロジカルチャネルにおいてＣＣＣＨにマップされてもよい。
【０１１６】
ステップ５１０４は、基地局装置２が端末装置１に対して、衝突解決メッセージ（Ｃｏｎｔｅｎｔｉｏｎ  ｒｅｓｏｌｕｔｉｏｎ  ｍｅｓｓａｇｅ）を送信するステップである。衝突解決メッセージは、ランダムアクセスメッセージ４とも称されてもよい。端末装置１は、ランダムアクセスメッセージ３送信後に、ランダムアクセスメッセージ４を含むＰＤＳＣＨをスケジューリングするＰＤＣＣＨのモニタリングを行う。ランダムアクセスメッセージ４は、衝突回避用ＩＤが含まれてもよい。ここで、衝突回避用ＩＤは、複数の端末装置１が同一の無線リソースを用いて信号を送信する衝突を解決するために用いられる。衝突回避用ＩＤは、ＵＥ  ｃｏｎｔｅｎｔｉｏｎ  ｒｅｓｏｌｕｔｉｏｎ  ｉｄｅｎｔｉｔｙとも称されてもよい。
【０１１７】
ステップ５１０４において、端末装置１の識別に用いられるＩＤ（例えば、Ｓ−ＴＭＳＩ）を含むランダムアクセスメッセージ３を送信した該端末装置１は、衝突解決メッセージを含むランダムアクセスメッセージ４をモニタする。該ランダムアクセスメッセージ４に含まれる衝突回避用ＩＤが、該端末装置１の識別に用いられる該ＩＤと等しい場合に、該端末装置１は衝突解決が成功裏に完了したとみなし、Ｃ−ＲＮＴＩフィールドにＴｅｍｐｏｒａｒｙ  Ｃ−ＲＮＴＩの値をセットしてもよい。Ｃ−ＲＮＴＩフィールドにＴｅｍｐｏｒａｒｙ  Ｃ−ＲＮＴＩの値がセットされた端末装置１は、ＲＲＣ接続が完了したとみなされる。
【０１１８】
ランダムアクセスメッセージ４をスケジューリングするＰＤＣＣＨのモニタリングのための制御リソースセットは、ランダムアクセスメッセージ２をスケジューリングするＰＤＣＣＨのモニタリングのための制御リソースセットと同一であってもよい。基地局装置２は、ＰＤＣＣＨの受信に関連する情報をランダムアクセスメッセージ２に含んで送信し、端末装置１に第２の制御リソースセットのモニタリングを指示することができる。端末装置１は、ランダムアクセスメッセージ２に含まれるＰＤＣＣＨの受信に関連する情報に少なくとも基づきＰＤＣＣＨのモニタリングを実施する。第２の制御リソースセットは、ランダムアクセスメッセージ５のスケジューリングのために用いられてもよい。
【０１１９】
端末装置は、少なくとも１つのサービングセルにおいて、複数のｎｕｍｅｒｏｌｏｇｙに対する物理制御チャネルのモニタリングを同時に行なう場合には、複数のｎｕｍｅｒｏ
ｌｏｇｙの同時受信に関する能力をサポートしていることを能力情報として通知してもよい。
【０１２０】
次に、本実施形態に係る上りリンクの送信電力に用いられる下りリンクパスロスのリファレンスについて説明する。
【０１２１】
第１のシステム情報に、ランダムアクセスメッセージ３の信号波形を示す情報が含まれる場合、該信号波形を示す情報がＯＦＤＭ（ＣＰ−ＯＦＤＭ）かＤＦＴ−Ｓ−ＯＦＤＭかに基づいて、端末装置１が、ランダムアクセスメッセージ３の送信電力に用いられる下りリンクパスロスのリファレンス（パスロスリファレンス）が決定されてもよい。ここで、パスロスリファレンスとは、パスロスの算出に用いられるＲＳＲＰの測定オブジェクトとして用いられる下りリンク参照信号（例えば、ＳＳブロックやＣＳＩ−ＲＳ）のことであってもよい。
【０１２２】
例えば、該信号波形を示す情報がＤＦＴ−Ｓ−ＯＦＤＭを示す場合、端末装置１は、該ランダムアクセスメッセージ３の送信電力に用いられるパスロスリファレンスをＳＳブロックに設定し、該ＳＳブロックから測定したＲＳＲＰに基づいてパスロスを算出してもよい。また、該信号波形を示す情報がＯＦＤＭを示す場合、端末装置１は、該ランダムアクセスメッセージ３の送信電力に用いられるパスロスリファレンスをＣＳＩ−ＲＳに設定し、該ＣＳＩ−ＲＳから測定したＲＳＲＰに基づいてパスロスを算出してもよい。なお、ＳＳブロックのＲＳＲＰは、ＳＳブロックに含まれるＳＳＳを測定することによって得られてもよい。
【０１２３】
下りリンクパスロスは、（下りリンク）パスロスリファレンス（例えば、ＳＳブロックやＣＳＩ−ＲＳ）の送信電力（基地局装置２の送信電力）とＲＳＲＰ（端末装置１におけるパスロスリファレンスの測定結果）に基づいて算出されてもよい。
【０１２４】
上りリンクパスロスは、（上りリンク）パスロスリファレンス（例えば、ＳＲＳ）の送信電力（端末装置１の送信電力）とＲＳＲＰ（基地局装置２におけるパスロスリファレンスの測定結果）に基づいて算出されてもよい。
【０１２５】
該信号波形を示す情報がＤＦＴ−Ｓ−ＯＦＤＭかＯＦＤＭかどうかに基づいて、ランダムアクセスメッセージ３の送信電力に用いられるパスロスリファレンスが、ランダムアクセスメッセージ１の送信電力に用いられるパスロスリファレンスと同じかどうかが決定されてもよい。
【０１２６】
該第１のシステム情報に、複数のＣＳＩ−ＲＳの設定が含まれる場合、ランダムアクセスメッセージ２に含まれる上りリンクグラント（つまり、ランダムアクセスレスポンスグラント）には、パスロスリファレンスを示す情報が含まれてもよい。なお、ランダムアクセスレスポンスグラントにパスロスリファレンスを示す情報が含まれるかどうかは、該第１のシステム情報によって示されてもよい。
【０１２７】
例えば、該パスロスリファレンスを示す情報が２ビット（つまり、４つのインデックス）で構成される場合、インデックス０からインデックス３はそれぞれ、ＣＳＩ−ＲＳの設定を識別するためのＩＤ（ＣＳＩ−ＲＳ−ＩＤ）が割り当てられてもよい。また、インデックス０からインデックス３はそれぞれ、ＳＳブロックの設定を識別するためのＩＤ（ＳＳブロックＩＤ）が割り当てられてもよい。また、インデックス０からインデックス３のうち、１つは、ランダムアクセスメッセージ１の送信電力に用いられるパスロスリファレンスと同じパスロスリファレンスを用いてランダムアクセスメッセージ３の送信電力に用いられるパスロスを算出することを示してもよい。また、インデックス０からインデック
ス３は、ＣＳＩ−ＲＳのＲＳＲＰの測定結果に対応してもよい。例えば、インデックス０は、最もよい測定結果のＣＳＩ−ＲＳをパスロスリファレンスとすることを示してもよい。インデックス１は、２番目によい測定結果のＣＳＩ−ＲＳをパスロスリファレンスとすることを示してもよい。インデックス２とインデックス３についても、３番目によい測定結果および４番目によい測定結果のＣＳＩ−ＲＳをパスロスリファレンスとすることを示してもよい。また、インデックス０からインデックス３のうち、１つは、最もよいＮｓｓ個のＳＳブロックから測定したＲＳＲＰに基づき与えられる値をパスロスリファレンスとすることを示してもよい。また、インデックス０からインデックス３のうち、１つは、最もよいＮｓｓ個のＳＳブロックから測定したＲＳＲＰの平均値をパスロス値として用いることを示してもよい。また、インデックス０からインデックス３のうち、１つは、最もよいＮｃｓｉ個のＣＳＩ−ＲＳから測定したＲＳＲＰに基づき与えられる値をパスロス値として用いることを示してもよい。また、インデックス０からインデックス３のうち、１つは、最もよいＮｃｓｉ個のＣＳＩ−ＲＳから測定したＲＳＲＰの平均値をパスロス値として用いることを示してもよい。Ｎｓｓ、および／または、Ｎｃｓｉは、１以上の整数であり、ＭＩＢ、および／または、第１のシステム情報により通知されてもよい。Ｎｓｓは、ＳＳブロックの周期、および／または、所定の期間に設定されるＳＳブロックの総数に少なくとも基づき与えられてもよい。複数のＲＳＲＰの平均値は、所定の重み付けが適用された平均値であってもよい。また、インデックス０からインデックス３のうち、１つは、ランダムアクセスメッセージ１の送信電力に用いられるパスロスリファレンスと共有配置されたＣＳＩ−ＲＳをパスロスリファレンスとしてランダムアクセスメッセージ３の送信電力に用いられるパスロスを算出することを示してもよい。
【０１２８】
例えば、該パスロスリファレンスを示す情報が１ビット（つまり、２つのインデックス）で構成される場合、インデックス０とインデックス１はそれぞれ、ＣＳＩ−ＲＳ−ＩＤが割り当てられてもよい。また、インデックス０とインデックス１のうち、１つは、ランダムアクセスメッセージ１の送信電力に用いられるパスロスリファレンスと同じパスロスリファレンスを用いてランダムアクセスメッセージ３の送信電力に用いられるパスロスを算出することを示してもよい。また、インデックス０とインデックス１は、ＣＳＩ−ＲＳのＲＳＲＰの測定結果に対応してもよい。また、インデックス０とインデックス１のうち、１つは、ランダムアクセスメッセージ１の送信電力に用いられるパスロスリファレンスと共有配置されたＣＳＩ−ＲＳをパスロスリファレンスとしてランダムアクセスメッセージ３の送信電力に用いられるパスロスを算出することを示してもよい。
【０１２９】
該パスロスリファレンスを示す情報が１ビットと２ビットの場合について説明したが、該第１のシステム情報に含まれるＣＳＩ−ＲＳの設定の総数またはＣＳＩ−ＲＳ−ＩＤの最大値に基づいて、該パスロスリファレンスを示す情報を構成するビット数が決定されてもよい。
【０１３０】
また、該パスロスリファレンスを示す情報がランダムアクセスレスポンスグラントに含まれるかどうかは、該第１のシステム情報によって示されてもよい。
【０１３１】
また、該パスロスリファレンスを示す情報がランダムアクセスレスポンスグラントに含まれるかどうかは、該信号波形を示す情報に因らず、決定されてもよい。
【０１３２】
例えば、該第１のシステム情報に、複数のＳＳブロックの設定、および／または、ＣＳＩ−ＲＳの設定が含まれる場合には、該パスロスリファレンスを示す情報は、ランダムアクセスレスポンスグラントに含まれてもよい。また、該第１のシステム情報に、ＳＳブロックの設定、および／または、ＣＳＩ−ＲＳの設定が含まれていない場合には、該パスロスリファレンスを示す情報は、ランダムアクセスレスポンスグラントに含まれなくてもよい。
【０１３３】
本実施形態において、パスロスリファレンスが異なるとは、パスロスリファレンスに用いられる下りリンク参照信号の種類（ＳＳブロック、ＣＳＩ−ＲＳ）が異なることを含んでもよい。また、パスロスリファレンスが異なるとは、パスロスリファレンスに用いられる下りリンク参照信号のインデックスまたは時間周波数リソースまたは設定が異なることを含んでもよい。
【０１３４】
次に、本実施形態に係る各物理チャネルに対する上りリンク電力制御について説明する。
【０１３５】
ＰＲＡＣＨおよびランダムアクセスメッセージ１の送信電力は、ＰＲＡＣＨのターゲット電力および電力ランプアップステップ、および、ＰＲＡＣＨの送信回数に基づいてセットされる。ＰＲＡＣＨは、ランダムアクセス手順において成功しなければ、電力ランプアップステップと送信回数に基づいて、ＰＲＡＣＨの送信電力が増加する。なお、ＰＲＡＣＨのターゲット電力および電力ランプアップステップは上位層パラメータとして設定される。これらの上位層パラメータは、セル毎に設定されてもよい。
【０１３６】
ＰＵＳＣＨおよびランダムアクセスメッセージ３の送信電力は、ＰＵＳＣＨに割り当てられた帯域幅（リソースブロック数）、ＰＵＳＣＨの基準電力、ＰＵＳＣＨの端末装置固有電力、および、下りリンクパスロスの補償係数、下りリンクパスロス、ＰＵＳＣＨのＴＰＣコマンドの補正値に基づいてセットされる。なお、ＰＵＳＣＨの基準電力、ＰＵＳＣＨの端末装置固有電力、および、下りリンクパスロスの補償係数は、上位層パラメータとして設定される。また、これらの上位層パラメータは、上りリンクグラントの種類毎、セル毎、上りリンクサブフレームセット毎に設定されてもよい。
【０１３７】
ＰＵＣＣＨの送信電力は、ＰＵＣＣＨに割り当てられた帯域幅（リソースブロック数）、ＰＵＣＣＨの基準電力、ＰＵＣＣＨの端末装置固有電力、および、下りリンクパスロスの補償係数、ＰＵＣＣＨフォーマットに基づく電力オフセット、下りリンクパスロス、ＰＵＣＣＨのＴＰＣコマンドの補正値に基づいてセットされる。なお、ＰＵＣＣＨの基準電力、ＰＵＣＣＨの端末装置固有電力、ＰＵＣＣＨフォーマットに基づく電力オフセット、および、下りリンクパスロスの補償係数は、上位層パラメータとして設定される。また、これらの上位層パラメータは、セルグループ毎に設定されてもよい。
【０１３８】
ＰＵＳＣＨおよびＰＵＣＣＨは、それぞれの物理チャネルに対応するＴＰＣコマンドに基づいて電力が調整される。
【０１３９】
次に、本実施形態に係る上りリンク送信電力に用いられるＴＰＣアキュムレーションのリセット手順について説明する。
【０１４０】
１つのサービングセルにおけるＰＵＳＣＨに対するＴＰＣアキュムレーションは、該サービングセルに対するＰＵＳＣＨの端末装置固有電力が上位層によって変更された場合、または、端末装置１が該サービングセルに対するランダムアクセスメッセージを受信した場合、リセットされる。
【０１４１】
ＰＵＣＣＨに対するＴＰＣアキュムレーションは、ＰＵＣＣＨの端末装置固有電力が上位層によって変更された場合、または、端末装置１がプライマリセルに対するランダムアクセスメッセージを受信した場合、リセットされる。
【０１４２】
１つのサービングセルにおいて、ランダムアクセスメッセージ１とランダムアクセスメッセージ３のパスロスリファレンスが異なる場合には、ランダムアクセスメッセージ３の
送信電力に用いられる電力制御調整値の初期値は、ランダムアクセスメッセージ１の電力ランプアップおよびＰＲＡＣＨの送信回数から得られる電力調整値（電力ランプアップ値）を含まなくてもよい。つまり、ランダムアクセスメッセージ３の送信電力に用いられる電力制御調整値の初期値は、ランダムアクセスレスポンスグラントに含まれるＴＰＣコマンドによって得られる補正値に基づいてよい。言い換えると、ランダムアクセスメッセージ１とランダムアクセスメッセージ３のパスロスリファレンスが異なる場合には、ランダムアクセスメッセージ１から得られる電力調整値はリセットされてもよい。
【０１４３】
ランダムアクセスメッセージ２にＴＰＣコマンドが含まれる場合、該ＴＰＣコマンドによって示される送信電力の補正値の粒度は、ランダムアクセスメッセージ３送信に設定される信号波形に少なくとも基づき異なってもよい。ランダムアクセスメッセージ２にＴＰＣコマンドが含まれる場合、該ＴＰＣコマンドが示す送信電力の補正値のテーブルは、ランダムアクセスメッセージ３送信に設定される信号波形に少なくとも基づき異なってもよい。ランダムアクセスメッセージ２にＴＰＣコマンドが含まれる場合、該ＴＰＣコマンドのビット数は、ランダムアクセスメッセージ３送信に設定される信号波形に少なくとも基づき異なってもよい。
【０１４４】
ある期間において、複数のランダムアクセスレスポンスグラントを検出した場合、検出したランダムアクセスレスポンスグラントがそれぞれ異なるＴＰＭＩに対応する場合には、ＴＰＣアキュムレーションは、ＴＰＭＩ毎に行なわれてもよい。
【０１４５】
１つのサービングセルにおいて、ＰＵＳＣＨおよび／またはＰＵＣＣＨの送信に用いられる信号波形が変わる場合、且つ、ＴＰＣアキュムレーションを行なっている場合、端末装置１は、ＰＵＳＣＨおよび／またはＰＵＣＣＨの送信電力に用いられる電力制御調整値をリセットしてもよい。つまり、この場合、端末装置１は、ＴＰＣアキュムレーションをリセットしてもよい。
【０１４６】
例えば、１つのサービングセルにおいて、ＰＵＳＣＨのｎ回目の（再）送信とｎ＋１回目の（再）送信において、ＰＵＳＣＨに用いられる信号波形が異なる場合、つまり、ＰＵＳＣＨに用いられる信号波形が異なる信号波形に設定される場合、ＰＵＳＣＨの初送からｎ回目までのＴＰＣアキュムレーションはリセットされてもよい。
【０１４７】
例えば、１つのサービングセルにおいて、ＰＵＳＣＨのｎ回目の（再）送信とｎ＋１回目の（再）送信において、ＰＵＳＣＨの送信電力に用いられるパスロスリファレンスが異なる場合、つまり、ＰＵＳＣＨの送信電力に用いられるパスロスリファレンスが異なるパスロスリファレンスに設定される場合、ＰＵＳＣＨの初送からｎ回目までのＴＰＣアキュムレーションはリセットされてもよい。
【０１４８】
ＴＰＣアキュムレーションは、セル毎、物理チャネル毎、サブフレームセット毎、ＴＰＭＩ（Ｔｒａｎｓｍｉｓｓｉｏｎ  Ｐｒｅｃｏｄｉｎｇ  Ｍａｔｒｉｘ  Ｉｎｄｉｃａｔｏｒ）毎に行なうかどうかが設定されてもよい。なお、ＴＰＭＩは、送信プレコーディングまたは送信ビームを示す情報であってもよい。
【０１４９】
例えば、１つのサービングセルにおいて、ＰＵＳＣＨの初送からｎ回目の（再）送信とｎ＋１回目の（再）送信において、ＰＵＳＣＨの送信に用いられるＴＰＭＩが異なる場合、つまり、ＰＵＳＣＨの送信に用いられるＴＰＭＩが異なるＴＰＭＩに設定される場合、ＰＵＳＣＨの初送からｎ回目までのＴＰＣアキュムレーションはリセットされてもよい。
【０１５０】
また、１つのサービングセルにおいて、複数の制御リソースセットのうちの１つの制御リソースセットにおいて、ＰＤＣＣＨを所定の回数検出できず、それに応じて、ＰＲＡＣ
ＨまたはＰＵＣＣＨにおいてＳＲを送信する場合には、端末装置１は、該制御リソースセットのＰＤＣＣＨによってスケジュールされるＰＵＳＣＨの送信電力に用いられる電力制御調整値をリセットしてもよい。つまり、端末装置１は、ある制御リソースセットにおいて、ＰＵＳＣＨをスケジュールするＰＤＣＣＨを検出できない場合、上位層パラメータの設定に基づいて、ＰＲＡＣＨまたはＰＵＣＣＨを用いてＳＲを送信し、その際、該ＰＵＳＣＨに対するＴＰＣアキュムレーションをリセットしてもよい。
【０１５１】
このような場合、ＰＲＡＣＨまたはＰＵＣＣＨのＳＲの送信に用いられるＴＰＭＩは該ＰＵＳＣＨと同じＴＰＭＩであってもよい。また、このような場合、ＰＲＡＣＨまたはＰＵＣＣＨのＳＲの送信に用いられるＴＰＭＩは該ＰＵＳＣＨとは異なるＴＰＭＩであってもよい。
【０１５２】
また、このような場合、ＰＲＡＣＨまたはＰＵＣＣＨのＳＲの送信に用いられるＴＰＭＩが該ＰＵＳＣＨと同じＴＰＭＩである場合には、ランダムアクセスレスポンスメッセージ（ランダムアクセスメッセージ２）を受信するまで、端末装置１は、ＴＰＣアキュムレーションをリセットしなくてもよい。
【０１５３】
また、このような場合、ＰＲＡＣＨまたはＰＵＣＣＨのＳＲの送信に用いられるＴＰＭＩが該ＰＵＳＣＨと異なるＴＰＭＩである場合には、端末装置１は、ＴＰＣアキュムレーションをリセットしてもよい。
【０１５４】
ここで、ＰＵＳＣＨおよび／またはＰＵＣＣＨの送信に用いられる信号波形が変わる条件は以下の条件のうち、少なくとも１つが含まれてもよい。
（Ｅ０）送信ポートの数が、所定の数と同じか、それよりも多い
（Ｅ１）送信ポートの数が、所定の数よりも少ない
（Ｅ２）レイヤの数が、所定の数と同じか、それよりも多い
（Ｅ３）レイヤの数が、所定の数よりも少ない
（Ｅ４）上位層パラメータ／ＤＣＩに基づいて該信号波形が変更または再設定される
（Ｅ５）周波数選択プレコーディングが設定されるかどうか
【０１５５】
次に、本実施形態に係る、異なるＲＡＴ（Ｒａｄｉｏ  Ａｃｃｅｓｓ  Ｔｅｃｈｎｏｌｏｇｙ）間（例えば、ＮＲとＬＴＥ間）のインターワーキングが行なわれる場合の上りリンクの送信電力に用いられる下りリンクパスロスのリファレンスについて説明する。異なるＲＡＴ間のインターワーキングは、１つの端末装置に対して、異なるＲＡＴのセルを用いて通信を行なうことを含んでもよい。また、異なるＲＡＴの複数のセルはそれぞれ、同じＲＡＴのセルグループを構成してもよい。
【０１５６】
ＮＲにおける上りリンクと下りリンクのキャリア周波数がかなり離れている場合、周波数の違いに起因して、端末装置１とＮＲの基地局装置（つまり、ｇＮＢ）間の上りリンクパスロスと下りリンクパスロスが、全く異なる場合がある。その場合、端末装置１において、上りリンク送信電力を下りリンクパスロスを用いてセットすると、実際の必要な送信電力よりも大きな値にセットされる場合がある。
【０１５７】
このような場合において、該上りリンク送信電力を適切にセットするためには、該上りリンク送信電力は、以下のパラメータのうち少なくとも１つを用いてセットされてもよい。
（Ｃ０）上りリンクキャリア周波数と下りリンクキャリア周波数に対応した電力オフセット値
（Ｃ１）ＳＲＳに基づく上りリンクパスロス値（つまり、ｇＮＢで測定したパスロス値）（Ｃ２）ＮＲの上りリンクキャリア周波数と同じ、または、近いキャリア周波数のＬＴＥ
ＣＲＳの設定に関する情報（例えば、ＣＲＳのサブキャリア間隔やリソース割当情報など）
（Ｃ３）ＮＲの上りリンクキャリア周波数と同じ、または、近いキャリア周波数のＮＲのキャリア周波数のＲＲＭ測定に関する情報（ＳＳブロックの設定、ＣＳＩ−ＲＳの設定）（Ｃ４）ＮＲの上りリンクキャリア周波数のサービングセルに対する上りリンク電力制御設定に、ＬＴＥのサービングセルをパスロスリファレンスとして設定するかどうかを示す情報
【０１５８】
また、（Ｃ２）において、ＣＲＳの設定に関する情報はｇＮＢによって設定されてもよい。端末装置１は、該ＣＲＳの設定に関する情報に基づいて、ＣＲＳのリソースエレメントが示される場合には、該リソースエレメント上に、ＮＲの上りリンクリソースおよび／または下りリンクリソースがマップされなくてもよいし、マップされないと想定して送信処理または受信処理を行なってもよい。
【０１５９】
（Ｃ２）において、ｇＮＢは、端末装置１に対して、ＬＴＥの下りリンクキャリア周波数において、ＲＳＲＰ測定のための設定情報を通知してもよい。
【０１６０】
（Ｃ２）において、端末装置１が、ＬＴＥの下りリンクキャリア周波数内のＣＲＳに基づくＲＳＲＰを測定するために以下のパラメータのうち、少なくとも１つまたは複数が設定されてもよい。
（Ｄ０）ＬＴＥの下りリンクキャリア周波数（キャリア周波数）
（Ｄ１）測定帯域幅
（Ｄ２）アンテナポート１に対するリソースエレメントが設定されるかどうか
（Ｄ３）（Ｄ０）のキャリア周波数に対する電力オフセット
（Ｄ４）ＣＲＳのサブキャリア間隔
（Ｄ５）ＬＴＥのセルＩＤまたはＣＲＳの周波数リソースの設定
（Ｄ６）ＣＲＳの時間リソースの設定
（Ｄ７）ＣＲＳの測定周期または送信周期、サブフレームパターン
【０１６１】
つまり、（Ｃ２）において、端末装置１は、ＮＲとＬＴＥでタイトインターワーキングに関する設定が設定される場合、且つ、ＮＲの上りリンクと下りリンクのキャリア周波数が大きく異なる場合、ＮＲの上りリンクキャリア周波数における送信電力に用いられる下りリンクパスロスは、ＮＲの上りリンクキャリア周波数の所定の範囲内のＬＴＥの下りリンクキャリア周波数（つまり、異なるＲＡＴのキャリア周波数）におけるＣＲＳを用いて算出されてもよい。
【０１６２】
また、（Ｃ３）において、端末装置１が、ＮＲの下りリンクキャリア周波数内のＣＳＩ−ＲＳまたはＳＳブロックに基づくＲＳＲＰを測定するために以下のパラメータのうち、少なくとも１つまたは複数が設定されてもよい。
（Ｆ０）下りリンクキャリア周波数
（Ｆ１）測定帯域幅
（Ｆ２）測定に用いられるアンテナポートが追加されるかどうか
（Ｆ３）（Ｆ０）のキャリア周波数に対する電力オフセット
（Ｆ４）ＣＲＳのサブキャリア間隔
（Ｆ５）ＣＳＩ−ＲＳ／ＳＳブロックの周波数リソースの設定
（Ｆ６）ＣＳＩ−ＲＳ／ＳＳブロックの時間リソースの設定
（Ｆ７）ＣＳＩ−ＲＳ／ＳＳブロックの測定周期または送信周期、サブフレームパターン
【０１６３】
（Ｃ４）において、ＮＲの上りリンク送信電力に用いられるパスロスリファレンスが、ＬＴＥのサービングセルに設定される場合、端末装置１は、ＬＴＥのサービングセルにあ
るＣＲＳを用いてＲＳＲＰを測定し、ＮＲの上りリンク送信電力に用いられるパスロスリファレンスが、ＬＴＥのサービングセルに設定されない場合、端末装置１は、（Ｃ０）から（Ｃ３）のいずれかを用いて、パスロスまたはＲＳＲＰを測定してもよい。
【０１６４】
このように、端末装置１は、パスロスリファレンスに基づいて、上りリンクの送信電力を適切にセットすることができる。
【０１６５】
図３は、本実施形態に係る基地局装置２のブロック構成の一例を示す概略図である。基地局装置２は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ（ＤＦＴ−Ｓ−ＯＦＤＭ）信号受信部（チャネル状態測定部および／またはＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部／ＨＡＲＱ−ＡＣＫ取得部／ＳＲ取得部）５１１を有する。なお、ＳＣ−ＦＤＭＡ信号受信部５０９は、受信信号やＣＣＡ（Ｃｌｅａｒ  Ｃｈａｎｎｅｌ
Ａｓｓｅｓｓｍｅｎｔ）、干渉雑音電力の測定部も兼ねている。なお、ＳＣ−ＦＤＭＡ信号受信部５０９は、端末装置１がＯＦＤＭ信号の送信をサポートしている場合には、ＯＦＤＭ信号受信部であってもよいし、ＯＦＤＭ信号受信部を含んでもよい。なお、図示しないが、基地局装置２には、ＴＡ（Ｔｉｍｉｎｇ  Ａｄｖａｎｃｅ）コマンドを送信する送信部が含まれてもよい。
【０１６６】
下りリンクサブフレーム生成部５０４は、下りリンクＴＴＩ（Ｔｒａｎｓｍｉｔ  Ｔｉｍｅ  Ｉｎｔｅｒｖａｌ）生成部であってもよいし、下りリンクＴＴＩ生成部を含んでもよい。また、下りリンクＴＴＩ生成部は、下りリンクＴＴＩを構成する物理チャネルおよび／または物理信号の生成を行なってもよい。つまり、下りリンクＴＴＩ生成部を含む下りリンクサブフレーム生成部５０４は、送信する物理チャネルおよび／または物理信号に対する系列を生成してもよい。また、下りリンクＴＴＩ生成部を含む下りリンクサブフレーム生成部５０４は、生成した系列を物理リソースへマッピングしてもよい。なお、上りリンクについても同様であってもよい。下りリンクサブフレーム生成部５０４は、下りリンクスロット生成部を含んでもよい。つまり、下りリンクサブフレーム生成部５０４は、下りリンクスロットで送信される物理チャネルおよび／または物理信号の生成を行なってもよい。また、下りリンクサブフレーム生成部５０４は、下りリンクミニスロット生成部を含んでもよい。つまり、下りリンクサブフレーム生成部５０４は、下りリンクミニスロットで送信される物理チャネルおよび／または物理信号の生成を行なってもよい。
【０１６７】
上りリンクサブフレーム処理部５１０は、上りリンクスロット処理部を含んでもよい。つまり、上りリンクサブフレーム処理部５１０は、上りリンクスロットで送信された物理チャネルおよび／または物理信号の処理を行なってもよい。また、上りリンクサブフレーム処理部５１０は、上りリンクミニスロット処理部を含んでもよい。つまり、下上りリンクサブフレーム処理部５１０は、上りリンクミニスロットで送信される物理チャネルおよび／または物理信号の処理を行なってもよい。
【０１６８】
図４は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ
（端末送信アンテナ）６１３および６１４を有する。下りリンクサブフレーム処理部６０３は、下りリンク参照信号抽出部６０４を有する。なお、下りリンクサブフレーム処理部６０３は、下りリンクＴＴＩ処理部であってもよい。また、下りリンクサブフレーム処理部６０３は、下りリンクスロット処理部を含んでもよい。つまり、下りリンクサブフレーム処理部６０３は、下りリンクスロットで送信される物理チャネルおよび／または物理信号の処理を行なってもよい。また、下りリンクサブフレーム処理部６０３は、下りリンクミニスロット処理部を含んでもよい。つまり、下りリンクサブフレーム処理部６０３は、下りリンクミニスロットで送信される物理チャネルおよび／または物理信号の処理を行なってもよい。また、上りリンクサブフレーム生成部６０９は、上りリンク制御情報生成部（ＵＣＩ生成部）６１０を有する。なお、ＯＦＤＭ信号受信部６０２は、受信信号やＣＣＡ、干渉雑音電力の測定部も兼ねている。つまり、ＯＦＤＭ信号受信部６０２において、ＲＲＭ測定が行なわれてもよい。端末装置がＯＦＤＭ信号の送信をサポートしている場合には、ＳＣ−ＦＤＭＡ信号送信部は、ＯＦＤＭ信号送信部であってもよいし、ＯＦＤＭ信号送信部を含んでもよい。
【０１６９】
上りリンクサブフレーム生成部６０９は、上りリンクＴＴＩ生成部であってもよいし、上りリンクＴＴＩ生成部を含んでもよい。上りリンクＴＴＩ生成部は、上りリンクＴＴＩを構成する物理チャネルおよび／または物理信号の生成を行なってもよい。つまり、上りリンクＴＴＩ生成部を含む上りリンクサブフレーム生成部６０９は、送信する物理チャネルおよび／または物理信号に対する系列を生成してもよい。また、上りリンクＴＴＩ生成部を含む上りリンクサブフレーム生成部６０９は、生成した系列を物理リソースへマッピングしてもよい。また、上りリンクサブフレーム生成部６０９は、上りリンクスロット生成部を含んでもよい。つまり、上りリンクサブフレーム生成部６０９は、上りリンクスロットで送信される物理チャネルおよび／または物理信号の生成を行なってもよい。また、上りリンクサブフレーム生成部６０９は、上りリンクミニスロット生成部を含んでもよい。つまり、上りリンクサブフレーム生成部６０９は、上りリンクミニスロットで送信される物理チャネルおよび／または物理信号の生成を行なってもよい。また、端末装置１は、上りリンク信号の送信電力を制御／セットするための電力制御部を含んでもよい。なお、図示しないが、端末装置１には、端末装置１の受信と送信間の時間差を測定するための測定部が含まれてもよい。また、端末装置１には、時間差の測定結果を報告する送信部が含まれてもよい。
【０１７０】
図３と図４のそれぞれにおいて、上位層は、ＭＡＣ（Ｍｅｄｉｕｍ  Ａｃｃｅｓｓ  Ｃｏｎｔｒｏｌ）層やＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層、ＲＲＣ（Ｒａｄｉｏ  Ｒｅｓｏｕｒｃｅ  Ｃｏｎｔｒｏｌ）層を含んでもよい。なお、上位層は上位層処理部と称されてもよい。
【０１７１】
ＲＬＣ層は、上位層（例えば、ＰＤＣＰ層やＲＲＣ層）へＴＭ（Ｔｒａｎｓｐａｒｅｎｔ  Ｍｏｄｅ）データ伝送、ＵＭ（Ｕｎａｃｋｎｏｗｌｅｄｇｅｄ  Ｍｏｄｅ）データ伝送、上位層のＰＤＵ（Ｐａｃｋｅｔ  Ｄａｔａ  Ｕｎｉｔ）の伝送が成功したことを示すインディケーションを含むＡＭ（Ａｃｋｎｏｗｌｅｄｇｅｄ  Ｍｏｄｅ）データ伝送を行なう。また、下位層へはデータ伝送と、送信機会において送信されたＲＬＣ  ＰＤＵの全サイズとともに、送信機会の通知を行なう。
【０１７２】
ＲＬＣ層は、上位層ＰＤＵの伝送に関する機能、（ＡＭデータ伝送に対してだけ）ＡＲＱ（Ａｕｔｏｍａｔｉｃ  Ｒｅｐｅａｔ  ｒｅＱｕｅｓｔ）を介したエラー補正に関する機能、（ＵＭとＡＭデータ伝送に対してだけ）ＲＬＣ  ＳＤＵ（Ｓｅｒｖｉｃｅ  Ｄａｔａ  Ｕｎｉｔ）の結合／分割／再構築に関する機能、（ＡＭデータ伝送に対して）ＲＬＣデータＰＤＵの再分割に関する機能、（ＡＭデータ伝送に対してだけ）ＲＬＣデータＰＤ
Ｕの並び替えに関する機能、（ＵＭとＡＭデータ伝送に対してだけ）重複検出に関する機能、（ＵＭとＡＭデータ伝送に対してだけ）ＲＬＣ  ＳＤＵの破棄に関する機能、ＲＬＣの再確立に関する機能、（ＡＭデータ伝送に対してだけ）プロトコルエラー検出に関する機能をサポートしている。
【０１７３】
まず、図３および図４を用いて、下りリンクデータの送受信の流れについて説明する。基地局装置２において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、ＮＤＩ（Ｎｅｗ  Ｄａｔａ  Ｉｎｄｉｃａｔｏｒ））を保持し、これらに基づいてコードワード生成部５０３や下りリンクサブフレーム生成部５０４を制御する。上位層５０１から送られてくる下りリンクデータ（下りリンクトランスポートブロック、下りリンク共用データ、下りリンク共用トランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレーム／下りリンクスロット／下りリンクミニスロットが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレーム／下りリンクスロット／下りリンクミニスロットが生成される。このとき、上位層５０１から送られてくる送信データ系列は、上位層における制御情報（例えば専用（個別）ＲＲＣシグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム／下りリンクスロット／下りリンクミニスロット内のＲＥにマッピングする。下りリンクサブフレーム生成部５０４で生成された下りリンクサブフレーム／下りリンクスロット／下りリンクミニスロットは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、物理制御チャネル／物理共用チャネルなどの物理層の下りリンク制御チャネルを生成して下りリンクサブフレーム内の下りリンクスロットおよび／または下りリンクミニスロットのＲＥにマッピングする能力も有することができる。複数の基地局装置は、それぞれ個別の下りリンクサブフレームに含まれる下りリンクスロットまたは下りリンクミニスロットを送信する。
【０１７４】
端末装置１では、受信アンテナ６０１を介して、ＯＦＤＭ信号受信部６０２においてＯＦＤＭ信号が受信され、ＯＦＤＭ復調処理が施される。
【０１７５】
下りリンクサブフレーム処理部６０３は、まず、物理制御チャネルなどの物理層の下りリンク制御チャネルを検出する。より具体的には、下りリンクサブフレーム処理部６０３は、物理制御チャネル／物理共用チャネルが割り当てられる領域において物理制御チャネルが送信されたものとして復号し、予め付加されているＣＲＣ（Ｃｙｃｌｉｃ  Ｒｅｄｕｎｄａｎｃｙ  Ｃｈｅｃｋ）ビットを確認する（ブラインド復号）。すなわち、下りリンクサブフレーム処理部６０３は、物理制御チャネル／物理共用チャネルをモニタリングする。ＣＲＣビットが予め基地局装置から割り当てられたＩＤ（Ｃ−ＲＮＴＩ（Ｃｅｌｌ−
Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ−Ｐｅｒｓｉｓｔｅｎｔ  Ｓｃｈｅｄｕｌｉｎｇ−Ｃ−ＲＮＴＩ）など１つの端末に対して１つ割り当てられる端末固有識別子（ＵＥＩＤ）、あるいはＴｅｍｐｏｒａｌｙ  Ｃ−ＲＮＴＩ）と一致する場合、下りリンクサブフレーム処理部６０３は、物理制御チャネル／物理共用チャネルを検出できたものと認識し、検出した物理制御チャネルに含まれるＤＣＩを用いて物理共用チャネルを取り出す。
【０１７６】
制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行なうように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレーム／下りリンクスロット／下りリンクミニスロットからＤＬＲＳを取り出す。
【０１７７】
トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層の制御情報が含まれており、上位層６０７は上位層の制御情報に基づいて制御部６０６に必要な物理層パラメータを知らせる。なお、複数の基地局装置２は、それぞれ個別の下りリンクサブフレーム／下りリンクスロット／下りリンクミニスロットを送信しており、端末装置１ではこれらを受信するため、上述の処理を複数の基地局装置２毎の下りリンクサブフレーム／下りリンクスロット／下りリンクミニスロットに対して、それぞれ行なってもよい。このとき、端末装置１は複数の下りリンクサブフレーム／下りリンクスロット／下りリンクミニスロットが複数の基地局装置２から送信されていると認識してもよいし、認識しなくてもよい。認識しない場合、端末装置１は、単に複数のセルにおいて複数の下りリンクサブフレーム／下りリンクスロット／下りリンクミニスロットが送信されていると認識するだけでもよい。また、トランスポートブロック抽出部６０５では、トランスポートブロックが正しく検出できたか否かを判定し、判定結果は制御部６０６に送られる。
【０１７８】
ここで、トランスポートブロック抽出部６０５には、バッファ部（ソフトバッファ部）を含んでもよい。バッファ部において、抽出したトランスポートブロックの情報を一時的に記憶することができる。例えば、トランスポートブロック抽出部６０５は、同じトランスポートブロック（再送されたトランスポートブロック）を受信した場合、このトランスポートブロックに対するデータの復号が成功していないとすれば、バッファ部に一時的に記憶したこのトランスポートブロックに対するデータと新たに受信したデータを結合（合成）し、結合したデータを復号しようと試みる。バッファ部は、一時的に記憶したデータが必要なくなれば、もしくは、所定の条件を満たせば、そのデータをフラッシュする。フラッシュするデータの条件は、データに対応するトランスポートブロックの種類によって異なる。バッファ部は、データの種類毎に、用意されてもよい。例えば、バッファ部として、メッセージ３バッファやＨＡＲＱバッファが用意されてもよいし、Ｌ１／Ｌ２／Ｌ３などレイヤ毎に用意されてもよい。なお、情報／データをフラッシュするとは、情報やデータが格納されたバッファをフラッシュすることを含む。
【０１７９】
次に、上りリンク信号の送受信の流れについて説明する。端末装置１では制御部６０６の指示の下で、下りリンク参照信号抽出部６０４で抽出された下りリンク参照信号がチャ
ネル状態測定部６０８に送られ、チャネル状態測定部６０８においてチャネル状態および／または干渉が測定され、さらに測定されたチャネル状態および／または干渉に基づいて、ＣＳＩが算出される。また、チャネル状態測定部６０８において、基地局装置２からのビーム強度の測定、または、ビームに対応するリソースの検出を行なってもよい。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレーム／下りリンクスロット／下りリンクミニスロットに対して、それぞれ行なう。上りリンク制御情報生成部６１０では、算出されたＣＳＩおよび／またはＨＡＲＱ−ＡＣＫを含むＰＵＣＣＨまたはＰＵＣＣＨに相当する制御チャネル／共用チャネルが生成される。上りリンクサブフレーム生成部６０９では、上位層６０７から送られる上りリンクデータを含む物理共用チャネルと、上りリンク制御情報生成部６１０において生成される物理制御チャネルとが上りリンクサブフレーム内の上りリンクスロットまたは上りリンクミニスロットのＲＢにマッピングされ、上りリンクスロットまたは上りリンクミニスロットが生成される。
【０１８０】
受信アンテナ５０８を介して、ＳＣ−ＦＤＭＡ信号受信部５０９においてＳＣ−ＦＤＭＡ信号が受信され、ＳＣ−ＦＤＭＡ復調処理が施される。上りリンクサブフレーム処理部５１０では、制御部５０２の指示により、物理制御チャネルがマッピングされたＲＢを抽出し、上りリンク制御情報抽出部５１１において物理制御チャネルに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱ、送信ビーム、受信ビームなど）の制御に用いられる。なお、ＳＣ−ＦＤＭＡ信号受信部は、ＯＦＤＭ信号受信部であってもよい。また、ＳＣ−ＦＤＭＡ信号受信部は、ＯＦＤＭ信号受信部を含んでもよい。
【０１８１】
なお、上述した実施形態における端末装置および／または基地局装置の一部をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０１８２】
なお、「コンピュータシステム」とは、端末装置または基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことを含んでもよい。
【０１８３】
さらに、「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また、「コンピュータ読み取り可能な記録媒体」とは、外部メモリであってもよい。また、上記プログラムは、前述した機能の一部を実現するためのものであってもよく、さらに前述した機能をコンピュータシステムにすでに記録されているプログラムとの組み合わせで実現できるものであってもよい。
【０１８４】
また、上述した実施形態における基地局装置は、複数の装置から構成される集合体（装置グループ）として実現することもできる。装置グループを構成する装置の各々は、上述した実施形態に関わる基地局装置の各機能または各機能ブロックの一部、または、全部を
備えてもよい。装置グループとして、基地局装置の一通りの各機能または各機能ブロックを有していればよい。また、上述した実施形態に関わる端末装置は、集合体としての基地局装置と通信することも可能である。
【０１８５】
また、上述した実施形態における基地局装置は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ Ａｃｃｅｓｓ  Ｎｅｔｗｏｒｋ
）および／またはＮＧ−ＲＡＮ（ＮｅｘｔＧｅｎ  ＲＡＮ，ＮＲ  ＲＡＮ）であってもよい。また、上述した実施形態における基地局装置２は、ｅＮＢおよび／またはｇＮＢに対する上位ノードの機能の一部または全部を有してもよい。
【０１８６】
また、上述した実施形態における端末装置、基地局装置の一部、または、全部を典型的には集積回路であるＬＳＩとして実現してもよいし、チップセットとして実現してもよい。端末装置、基地局装置の各機能ブロックは個別にチップ化してもよいし、一部、又は全部を集積してチップ化してもよい。また、集積回路化の手法はＬＳＩに限らず専用回路、または、汎用プロセッサで実現してもよい。また、半導体技術の進歩によりＬＳＩに代替する集積回路化の技術が出現した場合、当該技術による集積回路を用いることも可能である。
【０１８７】
また、上述した実施形態では、端末装置もしくは通信装置の一例としてセルラー移動局装置（携帯電話、携帯端末）を記載したが、本願発明は、これに限定されるものではなく、屋内外に設置される据え置き型、または非可動型の電子機器、たとえば、ＡＶ機器、キッチン機器（例えば、冷蔵庫や電子レンジなど）、掃除・洗濯機器、空調機器、オフィス機器、自動販売機、カーナビゲーションなどの車載搭載機、その他生活機器などの端末装置もしくは通信装置にも適用できる。
【０１８８】
以上のことから、本発明は以下の特徴を有する。
【０１８９】
（１）本発明の一態様による端末装置は、ＳＳブロック、および／または、ＣＳＩ−ＲＳを受信する受信部と、前記ＳＳブロック、および、前記ＣＳＩ−ＲＳからＲＳＲＰを測定する測定部と、ＰＲＡＣＨ、および／または、ＰＵＳＣＨを送信する送信部と、を備え、前記送信部は、初期アクセス時に、前記ＰＲＡＣＨの送信電力に用いられる下りリンクパスロスを、前記ＳＳブロックのＲＳＲＰから算出し、ランダムアクセスレスポンスグラントによってスケジュールされる第１のＰＵＳＣＨの送信電力に用いられる下りリンクパスロスを、前記ＳＳブロックのＲＳＲＰから算出し、前記ＳＳブロックによって示される第１のシステム情報に含まれる第１の情報に基づいて、前記ＰＵＳＣＨに対する信号波形が、ＤＦＴ−Ｓ−ＯＦＤＭと設定される場合、前記ＰＵＳＣＨの送信電力に用いられる下りリンクパスロスを、前記ＳＳブロックのＲＳＲＰから算出し、前記第１の情報に基づいて前記ＰＵＳＣＨに対する信号波形が、ＣＰ−ＯＦＤＭと設定される場合、前記ＰＵＳＣＨの送信電力に用いられる下りリンクパスロスを、前記ランダムアクセスレスポンスグラントに含まれる第２の情報によって示されるＣＳＩ−ＲＳのＲＳＲＰから算出する。
【０１９０】
（２）本発明の一態様による端末装置は、上記の端末装置であって、前記送信部は、ある期間において、複数のランダムアクセスレスポンスグラントを受信した場合に、前記第１のシステム情報に含まれる第３の情報に基づいて、前記複数のランダムアクセスレスポンスグラントに含まれる前記第１のＰＵＳＣＨに対するＴＰＣコマンドに対して、それぞれアキュムレーションを行なうどうかを決定する。
【０１９１】
（３）本発明の一態様による端末装置は、上記の端末装置であって、前記送信部は、前記ＰＲＡＣＨと前記第１のＰＵＳＣＨとで、下りリンクパスロスに用いたパスロスリファレンスが異なる場合、前記第１のＰＵＳＣＨにおける電力制御調整値に対して、前記ＰＲ
ＡＣＨにおける電力制御調整値を初期値として適用しない。
【０１９２】
（４）本発明の一態様による端末装置は、上記の端末装置であって前記第１のＰＵＳＣＨに対して用いられる系列は、前記下りリンクパスロスの算出に用いた、前記ＳＳブロック、または、前記ＣＳＩ−ＲＳを示すインデックスに基づいて生成される。
【０１９３】
（５）本発明の一態様による端末装置は、上記の端末装置であって、ある期間において、異なるインデックスを伴う複数のＳＳブロックを受信する場合、前記ＳＳブロックのＲＳＲＰは、前記複数のＳＳブロックのうち、測定結果のよい、１つまたは複数のＳＳブロックの測定結果が平均される。
【０１９４】
（６）本発明の一態様による端末装置は、上記の端末装置であって、前記ＳＳブロックのＲＳＲＰが、１つよりも多いＳＳブロックの測定結果の平均から得られる場合、前記送信部は、前記第１のＰＵＳＣＨにおいて、前記ＳＳブロックのインデックスを含んで送信する。
【０１９５】
（７）本発明の一態様による端末装置は、上記の端末装置であって、前記第１のＰＵＳＣＨにおいて、前記ＳＳブロックのＲＳＲＰおよび／または前記ＣＳＩ−ＲＳのＲＳＲＰの測定レポートを含む。
【０１９６】
（８）本発明の一態様による端末装置は、ＳＳブロック、および／または、ＣＳＩ−ＲＳを受信する受信部と、前記ＳＳブロック、および、前記ＣＳＩ−ＲＳからＲＳＲＰを測定する測定部と、ＰＲＡＣＨ、および／または、ＰＵＳＣＨを送信する送信部と、を備え、前記送信部は、初期アクセス時において、ランダムアクセスレスポンスグラントによってスケジュールされるＰＵＳＣＨの送信電力のセッティングに用いられる下りリンクパスロスの下りリンク参照信号を、前記ＳＳブロックに含まれる前記ＰＵＳＣＨに対する信号波形を示す情報に基づいて、前記ＳＳブロックを用いるか前記ＣＳＩ−ＲＳを用いるかを決定する。
【０１９７】
（９）本発明の一態様による方法は、端末装置の方法であって、ＳＳブロック、および／または、ＣＳＩ−ＲＳを受信するステップと、前記ＳＳブロック、および、前記ＣＳＩ−ＲＳからＲＳＲＰを測定するステップと、ＰＲＡＣＨ、および／または、ＰＵＳＣＨを送信するステップと、初期アクセス時において、前記ＰＲＡＣＨの送信電力に用いられる下りリンクパスロスを、前記ＳＳブロックのＲＳＲＰから算出するステップと、ランダムアクセスレスポンスグラントによってスケジュールされる第１のＰＵＳＣＨの送信電力に用いられる下りリンクパスロスを、前記ＳＳブロックのＲＳＲＰから算出するステップと、前記ＳＳブロックによって示される第１のシステム情報に含まれる第１の情報に基づいて、前記ＰＵＳＣＨに対する信号波形が、ＤＦＴ−Ｓ−ＯＦＤＭと設定される場合、前記ＰＵＳＣＨの送信電力に用いられる下りリンクパスロスを、前記ＳＳブロックのＲＳＲＰから算出するステップと、前記第１の情報に基づいて前記ＰＵＳＣＨに対する信号波形が、ＣＰ−ＯＦＤＭと設定される場合、前記ＰＵＳＣＨの送信電力に用いられる下りリンクパスロスを、前記ランダムアクセスレスポンスグラントに含まれる第２の情報によって示されるＣＳＩ−ＲＳのＲＳＲＰから算出するステップと、を含む。
【０１９８】
（１０）本発明の一態様による方法は、端末装置の方法であって、ＳＳブロック、および／または、ＣＳＩ−ＲＳを受信するステップと、前記ＳＳブロック、および、前記ＣＳＩ−ＲＳからＲＳＲＰを測定するステップと、ＰＲＡＣＨ、および／または、ＰＵＳＣＨを送信するステップと、初期アクセス時において、ランダムアクセスレスポンスグラントによってスケジュールされるＰＵＳＣＨの送信電力のセッティングに用いられる下りリンクパスロスの下りリンク参照信号を、前記ＳＳブロックに含まれる前記ＰＵＳＣＨに対す
る信号波形を示す情報に基づいて、前記ＳＳブロックを用いるか前記ＣＳＩ−ＲＳを用いるかを決定するステップと、を含む。
【０１９９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上述した実施形態に記載された要素であり、同様の効果を奏する要素同士を置換した構成も含まれる。
【符号の説明】
【０２００】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６  制御部
６０７  上位層
６０８  チャネル状態測定部
６０９  上りリンクサブフレーム生成部
６１０  上りリンク制御情報生成部
６１１、６１２  ＳＣ−ＦＤＭＡ信号送信部
６１３、６１４  送信アンテナ
【図１】
2020109886.tif 000003
【図２】
2020109886.tif 000004
【図３】
2020109886.tif 000005
【図４】
2020109886.tif 000006